(57)【要約】【課題】表示装置と転送装置との間の通信手続きを減らす。【解決手段】転送装置から受信した画像データを表示する表示装置であって、画像データを表示させる解像度である表示画像サイズと、転送装置が送信を希望する画像データの解像度である希望画像サイズとに基づき、転送装置に送信させる画像データの解像度である送信画像サイズを決定するサイズ決定部と、転送装置に、決定された送信画像サイズを含む制御情報を送信する制御情報送信部と、転送装置から受信した画像データを、表示画像サイズに示された解像度に変換するサイズ調整部と、サイズ調整部により変換された画像データを画面に表示させる出力部と、を有する表示装置を提供する。【選択図】図４
2017167509.tif 000002
【特許請求の範囲】
【請求項１】
転送装置から受信した画像データを表示する表示装置であって、
画像データを表示させる解像度である表示画像サイズと、前記転送装置が送信を希望する画像データの解像度である希望画像サイズとに基づき、前記転送装置に送信させる画像データの解像度である送信画像サイズを決定するサイズ決定部と、
前記転送装置に、決定された前記送信画像サイズを含む制御情報を送信する制御情報送信部と、
前記転送装置から受信した画像データを、前記表示画像サイズに示された解像度に変換するサイズ調整部と、
前記サイズ調整部により変換された画像データを画面に表示させる出力部と、
を有する表示装置。
【請求項２】
前記サイズ決定部は、前記表示画像サイズに対する前記希望画像サイズの比率が所定範囲内である場合には、前記送信画像サイズを前記希望画像サイズとし、前記比率が前記所定範囲を超えている場合には、前記送信画像サイズを前記表示画像サイズとする
請求項１に記載の表示装置。
【請求項３】
前記制御情報送信部は、前記表示画像サイズが設定または変更された場合、前記サイズ決定部に前記送信画像サイズを決定させ、決定された前記送信画像サイズを含む前記制御情報を対応する前記転送装置に送信する
請求項２に記載の表示装置。
【請求項４】
前記送信画像サイズを自動調整するか否かの設定を受け付ける自動調整受付部をさらに有し、
前記サイズ決定部は、
前記送信画像サイズを自動調整することが設定されている場合、前記表示画像サイズと前記希望画像サイズとに基づき前記送信画像サイズを決定し、
前記送信画像サイズの自動調整をしないことが設定されている場合、前記送信画像サイズを前記希望画像サイズに決定する
請求項３に記載の表示装置。
【請求項５】
前記出力部は、複数の前記転送装置のそれぞれから受信した画像データを１つの画面に集約して表示することが可能であり、
複数の前記転送装置のそれぞれについて、前記表示画像サイズを記憶する管理情報記憶部をさらに有し、
前記サイズ調整部は、複数の前記転送装置のそれぞれから受信した画像データを、対応する前記表示画像サイズに示された解像度に変換し、
前記出力部は、前記サイズ調整部により変換された画像データを１つの画面に表示させる
請求項１から４の何れか１項に記載の表示装置。
【請求項６】
呼び出されてから一定時間後に発火するタイマ部をさらに有し、
前記制御情報送信部は、
前記サイズ決定部により前記送信画像サイズが決定された場合、前記タイマ部を呼び出し、前記タイマ部が発火した後に前記制御情報を対応する前記転送装置に送信し、
前記タイマ部の発火前に前記送信画像サイズを生成するために用いた前記表示画像サイズが変更された場合、前記タイマ部の動作を停止させ、前記サイズ決定部に、再度、前記送信画像サイズを生成させる
請求項５に記載の表示装置。
【請求項７】
前記制御情報の送信の一時的な待機処理を実行するか否かの設定を受け付けるタイマ設定受付部をさらに有し、
前記制御情報送信部は、
前記待機処理を実行することが設定されている場合、前記タイマ部が発火した後に前記制御情報を対応する前記転送装置に送信し、
前記待機処理を実行しないことが設定されている場合、前記タイマ部の発火に関わらず、前記送信画像サイズが決定されたことに応じて前記制御情報を対応する前記転送装置に送信する
請求項６に記載の表示装置。
【請求項８】
ユーザによる操作に応じて、１つの画面に集約して表示される画像データの配置情報を変更する配置変更部をさらに有し、
前記制御情報送信部は、対応する画像データの描画位置の変更中であるか表示可能であるかを示す操作状態を含む前記制御情報を送信する
請求項６または７に記載の表示装置。
【請求項９】
画像データの描画位置の変更中において画像データを送信させない通信抑制処理を実行するか否かの設定を受け付ける通信抑制受付部をさらに有し、
前記制御情報送信部は、
前記通信抑制処理を実行することが設定されている場合、描画位置の変更中であるかまたは表示可能であるかを示す前記操作状態を含む前記制御情報を送信し、
前記通信抑制処理を実行しないことが設定されている場合、表示可能であるかを示す前記操作状態を含む前記制御情報を送信する
請求項８に記載の表示装置。
【請求項１０】
前記転送装置から、画像データの送信の開始を要求する開始要求を受信する設定部と、
画面配置を固定する配置固定処理を実行するか否かの設定を受け付ける配置固定受付部と
をさらに有し、
前記設定部は、
前記配置固定処理を実行しないことが設定されていない場合、前記開始要求をしたことに応じて、受信する画像データの数に応じて前記表示画像サイズおよび前記配置情報を変更し、
前記配置固定処理を実行することが設定されている場合、前記開始要求をしたことに関わらず、受信する画像データの数に関わらず前記表示画像サイズおよび前記配置情報を固定する
請求項８に記載の表示装置。
【請求項１１】
前記制御情報送信部は、前記転送装置に、送信させる画像データの転送速度である送信転送速度を含む前記制御情報を送信する
請求項１から１０の何れか１項に記載の表示装置。
【請求項１２】
受信した画像データの転送速度の実測値に基づき、前記転送装置に送信する前記制御情報に含める前記送信転送速度を決定する転送速度決定部をさらに有する
請求項１１に記載の表示装置。
【請求項１３】
前記転送速度決定部は、受信した画像データの転送速度の実測値が規定値以上の場合には、前記送信転送速度を第１の速度とし、受信した画像データの転送速度の実測値が規定値より低い場合には、前記送信転送速度を前記第１の速度より低い第２の速度とする
請求項１２に記載の表示装置。
【請求項１４】
前記送信転送速度を自動調整するか否かの設定を受け付ける自動調整受付部をさらに有し、
前記転送速度決定部は、
前記送信転送速度を自動調整することが設定されている場合、受信した画像データの転送速度の前記実測値に基づき、対応する前記転送装置に送信する前記制御情報に含める前記送信転送速度を決定し、
前記送信転送速度の自動調整をしないことが設定されている場合、前記送信転送速度を予め定められた固定の速度とする
請求項１３に記載の表示装置。
【請求項１５】
コンピュータを請求項１から１４の何れか１項に記載の表示装置として機能させるプログラム。
【請求項１６】
転送装置から受信した画像データを表示する表示方法であって、
画像データを表示させる解像度である表示画像サイズと、前記転送装置が送信を希望する画像データの解像度である希望画像サイズとに基づき、前記転送装置に送信させる画像データの解像度である送信画像サイズを決定するサイズ決定ステップと、
前記転送装置に、決定された前記送信画像サイズを含む制御情報を送信する制御情報送信ステップと、
前記転送装置から受信した画像データを、前記表示画像サイズに示された解像度に変換するサイズ調整ステップと、
変換された画像データを画面に表示させる出力ステップと、
を含む表示方法。
【請求項１７】
画像データを送信する転送装置と、前記転送装置から画像データを受信して画面に表示する表示装置とを備える表示システムであって、
前記表示装置は、
画像データを表示させる解像度である表示画像サイズと、前記転送装置が送信を希望する画像データの解像度である希望画像サイズとに基づき、前記転送装置に送信させる画像データの解像度である送信画像サイズを決定するサイズ決定部と、
前記転送装置に、決定された前記送信画像サイズを含む制御情報を送信する制御情報送信部と、
前記転送装置から受信した画像データを、前記表示画像サイズに示された解像度に変換するサイズ調整部と、
前記サイズ調整部により変換された画像データを画面に表示させる出力部と、
を有し、
前記転送装置は、
前記制御情報を受信する制御情報受信部と、
前記制御情報に含まれる前記送信画像サイズの画像データを生成する画像生成部と、
生成された画像データを前記表示装置に送信する画像送信部と、
を有する
表示システム。
【発明の詳細な説明】
【技術分野】
【０００１】
本発明は、表示装置、プログラム、表示方法および表示システムに関する。
【背景技術】
【０００２】
画像データを生成するコンピュータ（転送装置）と、プロジェクタとを備える表示システムが知られている。この表示システムでは、プロジェクタが、コンピュータから画像データを受信して、スクリーンに画像データを投影する。
【発明の概要】
【発明が解決しようとする課題】
【０００３】
この表示システムにおいて、表示する画像データの解像度を変更する場合がある。例えば、ユーザの操作等により画像サイズを変更する場合がある。このような場合、この表示システムでは、画像データの解像度が変化したことを伝えるため、プロジェクタとコンピュータとの間で、設定値のやり取り（ネゴシエーション）をしなければならなかった。このため、この表示システムでは、画像データの解像度が変化した場合の通信手続きが煩雑であった。
【０００４】
また、この表示システムでは、プロジェクタまたはコンピュータの何れか一方が、画像データの解像度の変換処理を実行する。このため、この表示システムでは、プロジェクタまたはコンピュータの一方の処理負担が大きくなってしまっていた。また、プロジェクタが解像度の変換処理をした場合、コンピュータからプロジェクタへ大きな解像度の画像データが送信されるので、通信負荷が大きくなってしまっていた。また、コンピュータが解像度の変換処理をした場合には、解像度を一時的に変更したり、解像度を微調整したりすることが困難であった。
【０００５】
本発明は、上記に鑑みてなされたものであって、表示装置と転送装置との間の通信手続きを減らすことができる表示装置、プログラム、表示方法および表示システムを提供することを目的とする。
【課題を解決するための手段】
【０００６】
上述した課題を解決し、目的を達成するために、本発明は、転送装置から受信した画像データを表示する表示装置であって、画像データを表示させる解像度である表示画像サイズと、前記転送装置が送信を希望する画像データの解像度である希望画像サイズとに基づき、前記転送装置に送信させる画像データの解像度である送信画像サイズを決定するサイズ決定部と、前記転送装置に、決定された前記送信画像サイズを含む制御情報を送信する制御情報送信部と、前記転送装置から受信した画像データを、前記表示画像サイズに示された解像度に変換するサイズ調整部と、前記サイズ調整部により変換された画像データを画面に表示させる出力部と、を有する。
【発明の効果】
【０００７】
本発明によれば、表示装置と転送装置との間の通信手続きを減らすことができる。
【図面の簡単な説明】
【０００８】
【図１】図１は、表示システムを示す図である。
【図２】図２は、表示装置のハードウェア構成を示す図である。
【図３】図３は、転送装置のハードウェア構成を示す図である。
【図４】図４は、第１実施形態に係る表示装置および転送装置の機能構成を示す図である。
【図５】図５は、配置情報の一例を示す図である。
【図６】図６は、設定可能な配置情報のバリエーションを示す図である。
【図７】図７は、管理情報の一例を示す図である。
【図８】図８は、開始要求に含まれる情報の項目を示す図である。
【図９】図９は、制御情報に含まれる情報の項目を示す図である。
【図１０】図１０は、表示要求に含まれる情報の項目を示す図である。
【図１１】図１１は、開始要求を送信した場合の処理の流れの一例を示すシーケンス図である。
【図１２】図１２は、送信画像サイズの決定処理の手順を示すフロー図である。
【図１３】図１３は、画像データを表示する場合の処理の流れの一例を示すシーケンス図である。
【図１４】図１４は、画面に表示する情報の切り替え例を示す図である。
【図１５】図１５は、画像データの転送速度を制御する場合の処理の流れの一例を示すシーケンス図である。
【図１６】図１６は、転送速度の決定処理の手順を示すフロー図である。
【図１７】図１７は、第１実施形態の第１変形例に係る表示装置および転送装置の機能構成を示す図である。
【図１８】図１８は、自動調整情報の一例を示す図である。
【図１９】図１９は、自動調整をするか否かを受け付けるための設定画面を示す図である。
【図２０】図２０は、変形例に係る送信画像サイズの決定処理の手順を示すフロー図である。
【図２１】図２１は、変形例に係る転送速度の決定処理の手順を示すフロー図である。
【図２２】図２２は、高品質化するか否かを受け付けるための設定画面を示す図である。
【図２３】図２３は、高品質化をすると設定された場合の自動調整情報の一例を示す図である。
【図２４】図２４は、高品質化をしないと設定された場合の自動調整情報の一例を示す図である。
【図２５】図２５は、自動切替処理をするか否かを受け付けるための設定画面を示す図である。
【図２６】図２６は、自動切替処理をすると設定された場合の自動調整情報の一例を示す図である。
【図２７】図２７は、自動切替処理をしないと設定された場合の自動調整情報の一例を示す図である。
【図２８】図２８は、第１実施形態の第２変形例に係る表示装置および転送装置の機能構成を示す図である。
【図２９】図２９は、第２変形例において、開始要求を送信した場合の処理の流れの一例を示すシーケンス図である。
【図３０】図３０は、第１実施形態の第２変形例に係る表示装置および転送装置のさらなる他の機能構成を示す図である。
【図３１】図３１は、制御情報の送信遅延処理をするか否かを受け付けるための設定画面を示す図である。
【図３２】図３２は、第１実施形態の第３変形例に係る表示装置および転送装置の機能構成を示す図である。
【図３３】図３３は、第１実施形態の第３変形例に係る管理情報の一例を示す図である。
【図３４】図３４は、第１実施形態の第３変形例に係る制御情報に含まれる情報の項目を示す図である。
【図３５】図３５は、画像データの配置を変更中の画面の一例を示す図である。
【図３６】図３６は、配置情報の変更中における表示装置の処理手順を示すフローチャートである。
【図３７】図３７は、配置情報の変更中における処理の流れの一例を示すシーケンス図である。
【図３８】図３８は、第１実施形態の第３変形例に係る表示装置および転送装置のさらなる他の機能構成を示す図である。
【図３９】図３９は、通信抑制処理をするか否かを受け付けるための設定画面を示す図である。
【図４０】図４０は、第１実施形態の第４変形例に係る表示装置および転送装置の機能構成を示す図である。
【図４１】図４１は、配置固定処理をするか否かを受け付けるための設定画面を示す図である。
【図４２】図４２は、１つの画面に４つの画像データを集約して表示している状態から、１つの画像データの送信が停止した場合の表示例を示す図である。
【図４３】図４３は、第２実施形態に係る表示装置および転送装置の機能構成を示す図である。
【図４４】図４４は、予約要求を受信した場合における処理手順を示すフローチャートである。
【図４５】図４５は、登録処理の手順を示すフローチャートである。
【図４６】図４６は、切替要求を受信した場合における処理手順を示すフローチャートである。
【図４７】図４７は、予約時の表示システムの処理の流れの一例を示すシーケンス図である。
【図４８】図４８は、更新時の表示システムの処理の流れの一例を示すシーケンス図である。
【図４９】図４９は、切替時の表示システムの処理の流れの一例を示すシーケンス図である。
【図５０】図５０は、切替後の表示システムの処理の流れの一例を示すシーケンス図である。
【図５１】図５１は、ダミーデータに含まれる情報の項目を示す図である。
【図５２】図５２は、ダミーデータに含める情報の内容を示す情報種別テーブルを示す図である。
【図５３】図５３は、情報格納装置に記憶されたデータの格納位置を示す図である。
【発明を実施するための形態】
【０００９】
（第１実施形態）
まず、第１実施形態に係る表示システム１０について説明する。
【００１０】
図１は、表示システム１０を示す図である。表示システム１０は、表示装置２１と、複数の転送装置２２（２２−１，２２−２，２２−３，２２−４）と、スクリーン２３とを備える。
【００１１】
表示装置２１と複数の転送装置２２のそれぞれとは、有線通信または無線通信等のネットワークを介して接続される。
【００１２】
表示装置２１は、転送装置２２から画像データを受信して画面に表示する。本実施形態においては、表示装置２１は、転送装置２２から画像データをネットワークを介して受信し、受信した画像データをスクリーン２３（画面）に投影するプロジェクタである。なお、表示装置２１は、複数の転送装置２２のそれぞれから画像データを受信して１つの画面に集約して表示することが可能である。本実施形態においては、表示装置２１が、複数の転送装置２２から複数の画像データをネットワークを介して受信して、複数の画像データを１つのスクリーン２３（画面）に集約して投影する例を示す。
【００１３】
例えば、図１の例においては、表示装置２１は、第１〜第４の転送装置２２−１〜２２−４から、第１〜第４の画像データを受信する。そして、表示装置２１は、スクリーン２３を４分割したそれぞれの領域に、第１〜第４の画像データのそれぞれを投影する。なお、表示装置２１は、４つに限らず、何個の画像データを受信してもよい。
【００１４】
複数の転送装置２２のそれぞれは、画像データを表示装置２１に送信する。転送装置２２は、例えば、ノート型のコンピュータ、タブレット端末、スマートフォン等の情報処理を実行するコンピュータであってよい。また、転送装置２２は、記録媒体から画像データを読み出して出力する装置であってもよい。また、転送装置２２は、画像データを再生する映像再生装置であってもよい。また、転送装置２２は、放送信号または通信信号を受信して、映像データを再生する受信装置であってもよい。
【００１５】
図２は、表示装置２１のハードウェア構成を示す図である。表示装置２１は、システム制御部３１１と、投影部３１２と、記憶部３１３と、外部接続部３１４と、有線通信部３１５と、無線通信部３１６と、表示入力部３１７と、操作信号受信部３１８とを有する。
【００１６】
システム制御部３１１は、例えば、ＣＰＵ（Central  Processing  Unit）と、ＲＡＭ（Random  Access  Memory）およびＲＯＭ（Read  Only  Memory）等の周辺回路等を含む。システム制御部３１１は、例えば、記憶部３１３等に記憶されたプログラムを実行することにより、表示装置２１の全体を制御する。
【００１７】
記憶部３１３は、例えば、ＲＡＭ、ＲＯＭおよびフラッシュメモリ等を含む。記憶部３１３は、表示装置２１が実行する各種プログラム、投影する画像データ、および各種設定情報等を記憶する。
【００１８】
外部接続部３１４は、外部からの映像（画像）データ、例えば、コンピュータからの画像出力信号、映像機器等からのＨＤＭＩ（登録商標）信号、ビデオ信号等を入力するためのインタフェースである。有線通信部３１５は、有線ＬＡＮのインタフェースおよびその通信制御部を含む。
【００１９】
無線通信部３１６は、無線ＬＡＮのインタフェースおよびその通信制御部を含む。無線通信部３１６は、表示装置２１を転送装置２２とネットワークを介して接続させる。
【００２０】
表示入力部３１７は、操作ボタンまたはタッチパネル等を含み、各種情報を表示する。また、表示入力部３１７は、操作ボタンまたはタッチパネル等に対するユーザの操作を入力する。操作信号受信部３１８は、リモートコントローラ等からの操作信号を受信して、ユーザの操作を入力する。
【００２１】
投影部３１２は、光源３２１と、光源制御部３２２と、カラーホイール３２３と、回転検出部３２４と、カラーホイール制御部３２５と、ＤＭＤ３２６（Digital  Mirror  Device）と、ＤＭＤ制御部３２７と、投射レンズ３２８とを含む。
【００２２】
光源３２１は、ランプ、ＬＥＤ（Light  Emitting  Diode）または半導体レーザー等の固体光源等の画像投影用の光源である。光源制御部３２２は、光源３２１の明るさ、点灯／消灯の制御等を行う。
【００２３】
カラーホイール３２３は、例えば、赤、青、緑の３色に色分けされた円板等を高速で回転させ、光源３２１からの光を透過させることにより色づけを行う。回転検出部３２４は、カラーホイール３２３の回転状態を検出する。カラーホイール制御部３２５は、カラーホイール３２３の回転を制御する。
【００２４】
ＤＭＤ３２６は、多数の微小鏡面（マイクロミラー）を平面に配置した表示素子である。ＤＭＤ制御部３２７は、投影対象の画像データに応じて画素毎にＤＭＤ３２６のマイクロミラーの向きを制御する。投射レンズ３２８は、ＤＭＤ３２６を通過した光をスクリーン２３へと投射する。なお、ＤＭＤ３２６およびカラーホイール３２３は、画像投影用の表示素子の一例であり、例えば、ＬＣＤ（Liquid  Crystal  Display）等の他の表示素子であってもよい。
【００２５】
光源３２１から出た光は、カラーホイール３２３で色づけされ、画像データによって画素毎に向きが制御されるＤＭＤ３２６で反射し、投射レンズ３２８を介してスクリーン２３に照射されて像を結ぶ。
【００２６】
図３は、転送装置２２のハードウェア構成を示す図である。転送装置２２は、通常のコンピュータと同様の構成を有する。すなわち、転送装置２２は、ディスプレイ４１１と、入力部４１２と、ＣＰＵ４１３と、ＲＯＭ４１４と、ＲＡＭ４１５と、記憶装置４１６と、有線通信部４１７と、無線通信部４１８とを有する。各部は、バスにより接続される。
【００２７】
ディスプレイ４１１は、ＬＣＤ等の表示装置である。ディスプレイ４１１は、ＣＰＵ４１３からの表示信号に基づいて情報を表示する。入力部４１２は、キーボードおよびマウス等のユーザの操作情報を入力する。入力部４１２は、入力した操作情報をＣＰＵ４１３に供給する。なお、ディスプレイ４１１および入力部４１２は、タッチパネルのような一体的な構成であってもよい。
【００２８】
ＣＰＵ４１３は、プログラムを実行してデータ処理および制御等をするプロセッサの一例である。ＣＰＵ４１３は、ＲＡＭ４１５の所定領域を作業領域として、ＲＯＭ４１４または記憶装置４１６に予め記憶された各種プログラムとの協働により各種処理を実行し、転送装置２２を構成する各部の動作を統括的に制御する。また、ＣＰＵ４１３は、ＲＯＭ４１４または記憶装置４１６に予め記憶されたプログラムとの協働により、ディスプレイ４１１、入力部４１２、有線通信部４１７および無線通信部４１８等を制御する。
【００２９】
ＲＯＭ４１４は、不揮発性メモリであって、転送装置２２の制御に用いられるプログラムおよび各種情報を記憶する。ＲＡＭ４１５は、揮発性のメモリであって、ＣＰＵ４１３の作業領域として機能する。
【００３０】
記憶装置４１６は、フラッシュメモリ等の半導体による記憶媒体、磁気的または光学的に記録可能な記憶媒体等の書き換え可能な記憶装置である。記憶装置４１６は、転送装置２２の制御に用いられるプログラムおよび各種情報等を記憶する。
【００３１】
有線通信部４１７は、有線ＬＡＮのインタフェースおよびその通信制御部を含む。無線通信部４１８は、無線ＬＡＮのインタフェースおよびその通信制御部を含む。無線通信部４１８は、転送装置２２を表示装置２１とネットワークを介して接続させる。
【００３２】
図４は、第１実施形態に係る表示装置２１および転送装置２２の機能構成を示す図である。表示装置２１は、配置情報記憶部３１と、管理情報記憶部３２と、設定部３３と、制御情報送信部３４と、サイズ決定部３５と、画像受信部３６と、サイズ調整部３７と、出力部３８と、転送速度決定部３９とを有する。転送装置２２は、要求送信部４１と、制御情報受信部４２と、制御情報記憶部４３と、画像生成部４４と、画像送信部４５とを有する。
【００３３】
表示装置２１の配置情報記憶部３１は、配置情報を記憶する。配置情報は、１つの画面に集約して表示されるそれぞれの画像データにおける、画面上の配置等を示す。配置情報の詳細については、図５および図６を参照してさらに説明する。
【００３４】
表示装置２１の管理情報記憶部３２は、管理情報を記憶する。管理情報は、複数の転送装置２２のそれぞれから受信する画像データの管理および表示をするために用いる情報である。管理情報は、転送装置２２から受信した画像データを表示する場合の解像度である表示画像サイズを含む。管理情報は、複数の転送装置２２のそれぞれについて表示画像サイズを含む。
【００３５】
また、管理情報は、その転送装置２２から送信させる画像データの転送速度（例えば、ビットレート）である送信転送速度を含む。管理情報は、複数の転送装置２２のそれぞれについて送信転送速度を含む。管理情報の詳細については、図７を参照してさらに説明する。
【００３６】
転送装置２２の要求送信部４１は、画像データを表示装置２１に送信して表示を開始させる場合、画像データの送信に先だって、開始要求を表示装置２１に送信する。開始要求には、転送装置２２が送信を希望する画像データの解像度である希望画像サイズを含む。開始要求については、図８を参照してさらに説明する。
【００３７】
表示装置２１の設定部３３は、何れかの転送装置２２から開始要求を受信する。設定部３３は、何れかの転送装置２２から開始要求を受信した場合、配置情報および管理情報を変更する。
【００３８】
表示装置２１の制御情報送信部３４は、複数の転送装置２２のそれぞれに、制御情報を送信する。制御情報は、対応する転送装置２２に送信させる画像データの解像度である送信画像サイズ、および、対応する転送装置２２に送信させる画像データの転送速度である送信転送速度を含む。
【００３９】
制御情報送信部３４は、管理情報記憶部３２に記憶された表示画像サイズが設定または変更された場合、対応する転送装置２２に送信させる画像データの解像度である送信画像サイズをサイズ決定部３５に決定させる。そして、制御情報送信部３４は、決定された送信画像サイズを含む制御情報を、対応する転送装置２２に送信する。
【００４０】
また、制御情報送信部３４は、管理情報記憶部３２に記憶された送信転送速度が設定または変更された場合、設定または変更された送信転送速度を含む制御情報を、対応する転送装置２２に送信する。なお、制御情報については、図９を参照してさらに説明する。
【００４１】
表示装置２１のサイズ決定部３５は、制御情報送信部３４により呼び出された場合、対応する転送装置２２に送信させる画像データの解像度である送信画像サイズを決定する。例えば、サイズ決定部３５は、対応する転送装置２２から受信した画像データを表示させる場合の解像度である表示画像サイズと、対応する転送装置２２が送信を希望する画像データの解像度である希望画像サイズとに基づき、対応する転送装置２２に送信する制御情報に含める送信画像サイズを決定する。
【００４２】
より具体的には、サイズ決定部３５は、表示画像サイズに対する希望画像サイズの比率が所定範囲内である場合には、送信画像サイズを希望画像サイズとする。また、サイズ決定部３５は、表示画像サイズに対する希望画像サイズの比率が所定範囲を超えている場合には、送信画像サイズを表示画像サイズとする。なお、送信画像サイズの決定処理については、図１２を参照してさらに説明する。
【００４３】
転送装置２２の制御情報受信部４２は、表示装置２１から制御情報を受信する。転送装置２２の制御情報記憶部４３は、制御情報受信部４２が受信した制御情報を記憶する。
【００４４】
転送装置２２の画像生成部４４は、受信した制御情報に含まれる送信画像サイズの画像データを生成する。転送装置２２の画像送信部４５は、画像生成部４４により生成された画像データを含む表示要求を表示装置２１に送信する。この場合において、画像送信部４５は、画像データを、受信した制御情報に含まれる送信転送速度により表示装置２１に送信する。例えば、画像送信部４５は、受信した制御情報に含まれる送信転送速度（ビットレート）で送信されるような目標符号量で画像データを符号化する。なお、表示要求については、図１０を参照してさらに説明する。
【００４５】
表示装置２１の画像受信部３６は、何れかの転送装置から表示要求を受信する。画像受信部３６は、受信した表示要求に含まれる画像データをサイズ調整部３７に与える。また、画像受信部３６は、それぞれの転送装置２２から受信したデータの転送速度の実測値を計測する。そして、画像受信部３６は、それぞれの転送装置２２について計測した転送速度の実測値を転送速度決定部３９に与える。
【００４６】
表示装置２１のサイズ調整部３７は、複数の転送装置２２のそれぞれから受信した画像データの解像度を、管理情報記憶部３２に記憶された対応する表示画像サイズに変換する。なお、サイズ調整部３７は、受信した画像データの解像度（送信画像サイズ）と、管理情報記憶部３２に記憶された表示画像サイズとが一致する場合には、解像度を変換しない。
【００４７】
表示装置２１の出力部３８は、それぞれの転送装置２２から受信され、サイズ調整部３７により解像度が変換された画像データを、配置情報記憶部３１に記憶された配置情報に従った配置で集約して１つの画面に表示させる。出力部３８は、例えば、画像記憶部４６と、描画部４７と、表示部４８とを含む。
【００４８】
画像記憶部４６は、解像度変換された画像データを、送信元の転送装置２２に対応させて記憶する。例えば、画像記憶部４６は、何れかの転送装置２２から新しい画像データを受信した場合、その転送装置２２に対応して記憶している画像データを削除して、新しい画像データを記憶する。これにより、出力部３８は、新しい画像データが受信される毎に、表示する画像データを更新することができる。
【００４９】
描画部４７は、画像記憶部４６に記憶されたそれぞれの画像データを、配置情報に示された画面位置に描画して、合成画像データを生成する。これにより、描画部４７は、それぞれの転送装置２２から受信した画像データを１つの画面に集約して表示させることができる。
【００５０】
表示部４８は、描画部４７により生成された合成画像データを表示する。本実施形態においては、表示部４８は、合成画像データをスクリーン２３に投影する。
【００５１】
表示装置２１の転送速度決定部３９は、受信した画像データの転送速度の実測値に基づき、対応する転送装置２２に送信する制御情報に含める送信転送速度を決定する。転送速度決定部３９は、複数の転送装置２２のそれぞれについて送信転送速度を決定する。
【００５２】
例えば、転送速度決定部３９は、受信した画像データの転送速度が規定値以上の場合には、送信転送速度を第１の速度とし、受信した画像データの転送速度が規定値より低い場合には、送信転送速度を第１の速度より低い第２の速度とする。転送速度決定部３９は、送信転送速度を決定した場合、管理情報記憶部３２に記憶された送信転送速度を、決定した送信転送速度に変更する。なお、送信転送速度の決定処理については、図１６を参照してさらに説明する。
【００５３】
図５は、配置情報の一例を示す図である。配置情報は、モードと、表示種別と、表示可能領域と、描画順序と、画像データ毎の描画位置とを含む。
【００５４】
モードは、１つの画面に集約する画像データの数を示す。本実施形態において、モード１では、１つの画面に１つの画像データを表示する。モード２では、１つの画面に２つの画像データを表示する。モード３では、１つの画面に３つの画像データを表示する。モード４では、１つの画面に４つの画像データを表示する。なお、これ以外のモードが存在してもよい。
【００５５】
また、１つの画面に集約する画像データのそれぞれには、固有の画像番号が割り当てられる。例えば、モード１の場合には、１つの画像データに対して、画像番号１が割り当てられる。また、モード２の場合には、１番目の画像データに画像番号１、２番目の画像データに画像番号２が割り当てられる。また、モード３の場合には、１番目の画像データに画像番号１、２番目の画像データに画像番号２、３番目の画像データに画像番号３が割り当てられる。また、モード４の場合には、１番目の画像データに画像番号１、２番目の画像データに画像番号２、３番目の画像データに画像番号３、４番目の画像データに画像番号４が割り当てられる。
【００５６】
表示種別には、全画面表示または分割表示が設定される。全画面表示は、画面に１つの画像データを単独で表示させる状態を示す。例えば、モード１の場合、表示種別は、全画面表示となる。分割表示は、画面に複数の画像データを共有して表示させる状態を示す。例えば、モード２、３、４の場合は、表示種別は、分割表示となる。
【００５７】
表示可能領域は、画像データを表示することが可能な画面上のピクセル単位の範囲を示す。例えば、図５の例においては、表示可能領域には、座標（ｘ，ｙ）＝（０，０）から、（ｘ，ｙ）＝（１２８０，８００）までの範囲が示されている。
【００５８】
描画順序は、画像データを描画する順序を示す。描画順序は、それぞれの画像データに割り当てらた画像番号の並び順により表される。２以上の画像データの描画範囲が重複していた場合、重複部分は、描画順序が後の画像データにより上書きされる。
【００５９】
画像データ毎の描画位置は、起点座標、幅および高さを含む。起点座標は、対応する画像データを描画する起点の座標を示す。幅は、対応する画像データの幅方向（Ｘ方向）のピクセル数を示す。高さは、対応する画像データの幅方向（Ｙ方向）のピクセル数を示す。
【００６０】
図６は、設定可能な配置情報のバリエーションを示す図である。
【００６１】
表示装置２１は、例えば、図６に示すように、１または複数の画像データを様々な配置で画面上に集約することができる。また、表示装置２１は、例えば、配置情報に含まれる描画位置（起点座標、幅および高さ）を変更することにより、画像データの配置を変更することができる。表示装置２１は、例えば、ユーザによる操作に応じて描画位置を変更してもよいし、また、他の処理部からの指示に応じて描画位置を変更してもよい。
【００６２】
また、表示装置２１は、配置情報におけるモードおよび表示種別を切り替えることにより、１画面に集約する画像データの数を変更することができる。
【００６３】
例えば、表示装置２１の設定部３３は、何れかの転送装置２２から開始要求を受信した場合に、モードおよび表示種別を設定または変更する。例えば、設定部３３は、何れの画像データも表示していない状態において、何れかの転送装置２２から開始要求を受信した場合には、モード１に設定し、表示種別を全画面表示に設定する。また、例えば、設定部３３は、モード１に設定されている状態において、何れかの転送装置２２からさらに開始要求を受信した場合には、モード２に変更し、表示種別を分割画面に変更する。また、例えば、設定部３３は、モード２に設定されている状態において、何れかの転送装置２２からさらに開始要求を受信した場合には、モード３に変更する。また、例えば、設定部３３は、モード３に設定されている状態において、何れかの転送装置２２からさらに開始要求を受信した場合には、モード４に変更する。
【００６４】
また、モード２からモード４の何れかにおいて、何れかの転送装置２２から、表示種別を全画面表示へ切り替える要求を受信した場合には、設定部３３は、モード１に変更し、表示種別を全画面表示に変更する。なお、設定部３３は、様々なタイミングにおいて、配置情報を変更してよい。
【００６５】
設定部３３は、このようにモードおよび表示種別の設定および変更がされた場合、配置情報に含まれる描画順序および画像データ毎の描画位置も変更する。これにより、設定部３３は、モード毎に、画像データの描画位置および画像サイズを適切に変更することができる。
【００６６】
図７は、管理情報の一例を示す図である。管理情報は、モードと、表示種別と、管理テーブルとを含む。
【００６７】
モードおよび表示種別は、配置情報に含まれる内容と同一である。設定部３３は、配置情報に含まれるモードおよび表示種別を設定および変更した場合、管理情報に含まれるモードおよび表示種別も併せて設定および変更する。
【００６８】
管理テーブルは、画面に集約して表示が可能な画像データの数分のエントリ（レコード）を有する。設定部３３は、モードを変更した場合、管理テーブルのエントリの数を変更する。例えば、モード１の場合、設定部３３は、管理テーブルに１つのエントリを生成する。例えば、モード２の場合、設定部３３は、管理テーブルに２つのエントリを生成する。例えば、モード３の場合、設定部３３は、管理テーブルに３つのエントリを生成する。例えば、モード４の場合、設定部３３は、管理テーブルに４つのエントリを生成する。
【００６９】
それぞれのエントリには、表示する画像データが割り当てられる。それぞれのエントリは、項番号、画像番号、ジョブ識別子、ＩＰアドレス、送信転送速度および表示画像サイズを含む。
【００７０】
項番号は、エントリを識別する番号である。画像番号は、配置情報に含まれる画像番号に対応し、そのエントリに割り当てられた画像データを識別する番号である。ジョブ識別子は、エントリに設定されている情報を識別する値であり、例えば、そのエントリに含まれる何れかの項目が変更された場合に更新される。
【００７１】
ＩＰアドレスは、そのエントリに割り当てられた画像データの送信元の転送装置２２のネットワーク上のアドレスである。送信転送速度は、そのエントリに割り当てられた画像データの転送速度である。送信転送速度は、例えば、１秒当たりのデータ量であるビットレートにより表される。
【００７２】
表示画像サイズは、そのエントリに割り当てられた画像データを表示する場合の解像度である。設定部３３は、配置情報における、そのエントリに割り当てられた画像データの描画位置に含まれる幅および高さに基づき、管理情報の表示画像サイズを設定または変更する。従って、設定部３３は、配置情報における描画位置に含まれる幅または高さを設定または変更した場合、管理情報における対応する表示画像サイズも設定または変更する。
【００７３】
図８は、開始要求に含まれる情報の項目を示す図である。転送装置２２は、画像データの表示を要求する場合、または、表示種別を切り替えを要求する場合、開始要求を表示装置２１に送信する。
【００７４】
開始要求は、希望画像サイズ、ＩＰアドレスおよび表示種別を含む。希望画像サイズは、送信を希望する画像データの解像度である。転送装置２２は、例えば、送信する画像データの元となるデータ等に基づき決定する。例えば、転送装置２２は、カメラ等により撮像された映像を表示させる場合、その映像の解像度を希望画像サイズとしてもよい。また、転送装置２２は、記録媒体等に格納されている画像データを読み出して表示させる場合には、記録媒体等に格納された画像データの解像度を希望画像サイズとしてもよい。また、転送装置２２は、ユーザにより指定された解像度を希望画像サイズとしてもよい。
【００７５】
ＩＰアドレスは、開始要求の送信元の転送装置２２のネットワーク上のアドレスである。表示種別は、転送装置２２側において希望する画像データの表示方法を示し、全画面表示または分割表示が設定される。
【００７６】
図９は、制御情報に含まれる情報の項目を示す図である。表示装置２１の制御情報送信部３４は、管理情報における管理テーブルに含まれる表示画像サイズまたは送信転送速度を設定または変更した場合、制御情報を対応する転送装置２２に送信する。
【００７７】
この場合、例えば、制御情報送信部３４は、管理テーブルにおける設定または変更された表示画像サイズまたは送信転送速度を含むエントリ（対象エントリ）を特定し、特定した対象エントリに含まれるＩＰアドレスから制御情報を送信する転送装置２２を特定する。
【００７８】
制御情報は、ジョブ識別子、送信画像サイズ、送信転送速度、モードおよび表示種別を含む。ジョブ識別子は、管理テーブルにおける対象エントリに含まれる値である。送信画像サイズは、サイズ決定部３５により決定された解像度である。送信転送速度は、対象エントリに含まれる値である。モードは、管理情報に含まれる値である。表示種別は、管理情報に含まれる値である。
【００７９】
制御情報送信部３４は、このような制御情報を転送装置２２に送信することにより、送信すべき画像データの解像度および転送速度を、転送装置２２に通知することができる。
【００８０】
図１０は、表示要求に含まれる情報の項目を示す図である。転送装置２２は、開始要求を表示装置２１に送信した後、表示装置２１から制御情報を受信する。転送装置２２は、制御情報を受信した後に、その制御情報に含まれる情報に基づき画像データを生成する。そして、転送装置２２は、生成した画像データを含む表示要求を表示装置２１に送信して、表示装置２１に生成した画像データを表示させる。
【００８１】
表示要求は、ジョブ識別子、画像データ、送信画像サイズ、表示種別、送信転送速度および送信時刻を含む。ジョブ識別子は、制御情報に含まれていた値である。画像データは、表示装置２１に表示させるべきデータの本体である。送信画像サイズは、制御情報に含まれていた値である。表示種別は、制御情報に含まれていた値である。送信転送速度は、制御情報に含まれていた値である。送信時刻は、表示要求を送信する時刻である。
【００８２】
図１１は、開始要求を送信した場合の処理の流れの一例を示すシーケンス図である。転送装置２２から表示装置２１への画像データの送信に先だって、表示装置２１および転送装置２２は、図１１に示す流れで処理を実行する。
【００８３】
まず、転送装置２２の要求送信部４１は、開始要求を表示装置２１に送信する（Ｓ１１１）。開始要求は、希望画像サイズ、ＩＰアドレスおよび表示種別を含む。
【００８４】
続いて、表示装置２１の設定部３３は、転送装置２２から開始要求を受信する。設定部３３は、開始要求に含まれる表示種別、並びに、現在の配置情報および現在の管理情報に基づき、次の配置情報および次の管理情報を決定する（Ｓ１１２）。具体的には、設定部３３は、開始要求の送信元の転送装置２２から送信された画像データが表示可能となるように、モードおよび表示種別を変更する。例えば、現在のモードがモード１であれば、次のモードをモード２に変更する。また、設定部３３は、変更後のモードおよび表示種別に合わせて、配置情報および管理情報に含める情報を生成する。
【００８５】
続いて、設定部３３は、Ｓ１１２で決定した内容に従って、配置情報記憶部３１に記憶された配置情報を更新する（Ｓ１１３）。これにより、設定部３３は、開始要求の送信元の転送装置２２から送信された画像データに対応する描画位置等を、配置情報に追加することができる。
【００８６】
続いて、設定部３３は、Ｓ１１２で決定した内容に従って、管理情報記憶部３２に記憶された管理情報を更新する（Ｓ１１４）。これにより、設定部３３は、開始要求の送信元の転送装置２２から送信された画像データを割り当てたエントリを生成し、生成したエントリに必要な情報を設定することができる。
【００８７】
続いて、設定部３３は、制御情報送信部３４を呼び出し、開始要求に含まれていた希望画像サイズを与える（Ｓ１１５）。制御情報送信部３４は、設定部３３から呼び出された場合、管理情報からモードおよび表示種別を読み出す。さらに、制御情報送信部３４は、管理情報に含まれる管理テーブルにおける、開始要求の送信元の転送装置２２から送信された画像データが割り当てられたエントリから、ジョブ識別子、表示画像サイズ、ＩＰアドレスおよび送信転送速度を読み出す（Ｓ１１６、Ｓ１１７）。
【００８８】
続いて、制御情報送信部３４は、サイズ決定部３５を呼び出し、開始要求に含まれていた希望画像サイズおよび管理情報から読み出した表示画像サイズをサイズ決定部３５に与える（Ｓ１１８）。続いて、サイズ決定部３５は、受け取った希望画像サイズおよび表示画像サイズに基づき、送信画像サイズを決定する（Ｓ１１９）。なお、Ｓ１１９での送信画像サイズの決定処理については、図１２を参照してさらに説明する。続いて、サイズ決定部３５は、決定した送信画像サイズを制御情報送信部３４に与える（Ｓ１２０）。
【００８９】
続いて、制御情報送信部３４は、開始要求の送信元の転送装置２２に、制御情報を送信する（Ｓ１２１）。制御情報は、ジョブ識別子、送信画像サイズ、送信転送速度、モードおよび表示種別を含む。
【００９０】
続いて、転送装置２２の制御情報受信部４２は、表示装置２１から制御情報を受信する。そして、制御情報受信部４２は、受信した制御情報を制御情報記憶部４３に与えて、記憶させる（Ｓ１２２）。
【００９１】
図１２は、送信画像サイズの決定処理の手順を示すフロー図である。サイズ決定部３５は、一例として、図１２に示すフローに従って、送信画像サイズを決定する。
【００９２】
まず、サイズ決定部３５は、表示画像サイズに対する希望画像サイズの比率Ａを算出する（Ｓ１３１）。サイズ決定部３５は、例えば、下記の式（１）により比率Ａを算出する。
Ａ＝希望画像サイズ／表示画像サイズ…（１）
【００９３】
続いて、サイズ決定部３５は、比率Ａが所定範囲内であるか否かを判断する（Ｓ１３２）。例えば、サイズ決定部３５は、比率Ａが１．２以下であるか否かを判断する。この場合、サイズ決定部３５は、比率Ａが１．２以下であれば、所定範囲内と判断し（Ｓ１３２のＹｅｓ）、比率Ａが１．２より大きければ、所定範囲内ではないと判断する（Ｓ１３２のＮｏ）。また、例えば、サイズ決定部３５は、比率Ａが１．２以下０．８以上の範囲内といったような、上限および下限を有する範囲内であるか否かを判断してもよい。
【００９４】
表示画像サイズに対する希望画像サイズの比率Ａが所定範囲内である場合（Ｓ１３２のＹｅｓ）、Ｓ１３３において、サイズ決定部３５は、送信画像サイズの値を、希望画像サイズとする。一方、表示画像サイズに対する希望画像サイズの比率Ａが所定範囲内ではない場合（Ｓ１３２のＮｏ）、Ｓ１３４において、サイズ決定部３５は、送信画像サイズの値を、表示画像サイズとする。
【００９５】
このように、転送装置２２の希望画像サイズが、表示装置２１の表示画像サイズの所定範囲内である場合、すなわち、希望画像サイズと表示画像サイズとの違いが所定量より少ない場合、転送装置２２から希望画像サイズの画像データを送信させる。そして、この場合、表示装置２１は、受信した画像データの解像度を表示画像サイズに変換する。これにより、転送装置２２は、解像度変換による無くなるとともに、画像データを劣化させずに表示装置２１に送信することができる。また、表示装置２１は、少ない処理で解像度変換をすることができ、処理負担を少なくすることができる。
【００９６】
また、転送装置２２の希望画像サイズが、表示装置２１の表示画像サイズの所定範囲内ではない場合、すなわち、希望画像サイズと表示画像サイズとの違いが所定量以上の場合、転送装置２２から、表示画像サイズの画像データを送信させる。そして、この場合、表示装置２１は、受信した画像データの解像度を変換しない。これにより、表示装置２１は、処理負担を少なくすることができる。また、転送装置２２は、表示画像サイズの画像データを送信するので、画像データを表示装置２１に効率良く送信することができる。
【００９７】
図１３は、画像データを表示する場合の処理の流れの一例を示すシーケンス図である。表示装置２１および転送装置２２は、画像データを表示する場合、図１３に示す流れで処理を実行する。
【００９８】
まず、転送装置２２の画像生成部４４は、制御情報記憶部４３に記憶された制御情報を読み出す（Ｓ１４１、Ｓ１４２）。続いて、画像生成部４４は、読み出した制御情報に含まれる送信画像サイズの画像データを生成する（Ｓ１４３）。そして、画像生成部４４は、生成した画像データを画像送信部４５に与える（Ｓ１４４）。
【００９９】
続いて、画像送信部４５は、表示要求を表示装置２１に送信する（Ｓ１４５）。表示要求は、制御情報に含まれていたジョブ識別子、生成した画像データの本体、制御情報に含まれていた送信画像サイズ、表示種別、送信転送速度、および、送信時刻を含む。なお、画像送信部４５は、制御情報に含まれる送信転送速度（ビットレート）で送信されるような目標符号量で画像データを符号化して表示要求に含める。
【０１００】
続いて、表示装置２１の画像受信部３６は、転送装置２２から表示要求を受信する。続いて、画像受信部３６は、管理情報記憶部３２に記憶された管理テーブルから、表示要求に含まれるジョブ識別子と同一のジョブ識別子を含むエントリを特定する（Ｓ１４６）。続いて、画像受信部３６は、特定したエントリに含まれる項番号、画像番号および表示画像サイズを読み出す（Ｓ１４７）。そして、画像受信部３６は、表示要求に含まれていた画像データおよび送信画像サイズ、および、特定したエントリから読み出した項番号、画像番号および表示画像サイズをサイズ調整部３７に与える（Ｓ１４８）。
【０１０１】
続いて、サイズ調整部３７は、受け取った画像データの解像度を表示画像サイズに変換する（Ｓ１４９）。この場合、サイズ調整部３７は、表示画像サイズと送信画像サイズとが同一であれば、解像度を変換しなくてよい。
【０１０２】
続いて、サイズ調整部３７は、解像度を変換した後の画像データ、すなわち、表示画像サイズの画像データ、および、管理テーブルにおける特定したエントリから読み出した画像番号を出力部３８に与える（Ｓ１５０）。続いて、出力部３８は、受け取った画像データを、画像番号に対応させて記憶する（Ｓ１５１）。
【０１０３】
続いて、出力部３８は、配置情報記憶部３１に記憶された配置情報から、受け取った画像番号に対応する画像データの描画位置（起点座標、幅および高さ）を読み出す（Ｓ１５２、Ｓ１５３）。続いて、出力部３８は、それぞれの画像番号の画像データを、読み出した描画位置に基づき描画して、合成画像データを生成する（Ｓ１５４）。そして、出力部３８は、生成された合成画像データを表示する（Ｓ１５５）。本実施形態においては、表示部４８は、合成画像データをスクリーン２３に投影する。
【０１０４】
以上のように本実施形態に係る表示システム１０は、複数の画像データを１つの画面に集約して表示する場合において、それぞれの画像データの解像度の変換処理を、表示装置２１および転送装置２２のそれぞれに分担して実行させることができる。これにより、表示システム１０は、表示装置２１および転送装置２２に処理コストを適切に分担させることができる。
【０１０５】
表示システム１０は、例えば、転送装置２２の希望画像サイズが表示画像サイズの所定範囲内である場合、送信画像サイズを希望画像サイズに設定する。これにより、表示システム１０によれば、転送装置２２が解像度変換をしなくてよいので転送装置２２の処理負担を少なくすることができる。これとともに、表示システム１０によれば、画像データを劣化無く表示装置２１に送信することができる。また、表示システム１０によれば、表示装置２１での解像度の変換量を小さくすることができ、表示装置２１の処理負担も少なくすることができる。
【０１０６】
また、表示システム１０は、例えば、転送装置２２の希望画像サイズが表示画像サイズの所定範囲内ではない場合、送信画像サイズを表示画像サイズに設定する。これにより、表示システム１０によれば、表示装置２１が解像度変換をしなくてよいので、表示装置２１の処理負担を少なくすることができる。また、表示システム１０によれば、転送装置２２から表示装置２１へ送信する画像データの解像度を表示画像サイズとするので、画像データを効率良く送信することができる。
【０１０７】
図１４は、画面に表示する情報の切り替え例を示す図である。表示装置２１は、それぞれの転送装置２２から受信した画像データに加えて、例えば、ガイドまたはＩＰアドレス等の補助情報を表示する場合がある。このような場合、表示装置２１は、それぞれの転送装置２２から受信した画像データの表示画像サイズを一時的に小さくして、補助情報を画面に追加して表示する。
【０１０８】
また、例えば、表示装置２１は、図１４のＡに示すように補助情報を表示していない画面と、図１４のＢに示すように補助情報を表示している画面とをユーザの操作に応じて切り替える場合もある。このような場合、表示装置２１は、サイズ調整部３７がそれぞれの画像データの解像度変換をすることができるので、転送装置２２から送信される画像データの解像度（送信画像サイズ）を変更しなくてよい。
【０１０９】
このように、本実施形態に係る表示システム１０によれば、転送装置２２との間の通信手続きをせずに、画像データの表示画像サイズを一時的に変更したり微調整をしたりすることができる。従って、本実施形態に係る表示システム１０によれば、転送装置２２と表示装置２１との間の通信量を少なくすることができる。
【０１１０】
図１５は、画像データの転送速度を制御する場合の処理の流れの一例を示すシーケンス図である。表示装置２１および転送装置２２は、画像データの転送速度を制御する場合、図１５に示す流れで処理を実行する。
【０１１１】
まず、転送装置２２の画像送信部４５は、表示要求を表示装置２１に送信する（Ｓ１６１）。続いて、表示装置２１の画像受信部３６は、受信した表示要求の転送速度（例えば、ビットレート）を測定する（Ｓ１６２）。画像受信部３６は、測定した転送速度の実測値、表示要求に含まれるジョブ識別子および送信時刻を転送速度決定部３９に与える（Ｓ１６３）。
【０１１２】
転送速度決定部３９は、ジョブ識別子毎に、転送速度の実測値を集計する（Ｓ１６４）。例えば、転送速度決定部３９は、一定の時間内に受信した表示要求について、ジョブ識別子毎に転送速度の平均値を算出する。続いて、転送速度決定部３９は、ジョブ識別子毎に、送信転送速度を決定する（Ｓ１６５）。なお、送信転送速度の決定処理については、図１６を参照してさらに説明する。
【０１１３】
続いて、転送速度決定部３９は、管理情報記憶部３２に記憶された管理テーブルにおけるジョブ識別子が一致するエントリに、算出した送信転送速度を設定する（Ｓ１６６）。続いて、転送速度決定部３９は、送信転送速度が設定または変更されたことを制御情報送信部３４に通知する（Ｓ１６７）。
【０１１４】
続いて、制御情報送信部３４は、管理情報記憶部３２に記憶された送信転送速度が設定または変更された場合、対応するエントリから送信転送速度等を読み出して、制御情報を生成する（Ｓ１６８、Ｓ１６９）。そして、制御情報送信部３４は、設定または変更された送信転送速度を含む制御情報を、対応する転送装置２２に送信する（Ｓ１７０）。続いて、転送装置２２の制御情報受信部４２は、表示装置２１から制御情報を受信する。そして、制御情報受信部４２は、受信した制御情報を制御情報記憶部４３に与えて、記憶させる（Ｓ１７１）。
【０１１５】
図１６は、転送速度の決定処理の手順を示すフロー図である。転送速度決定部３９は、一例として、転送速度の実測値をジョブ識別子毎に集計した場合、それぞれの転送速度の実測値に基づき、図１６に示すフローに従って送信転送速度を決定する。
【０１１６】
まず、転送速度決定部３９は、変数ｎに１を代入する（Ｓ１８１）。続いて、転送速度決定部３９は、管理情報記憶部３２に記憶された管理テーブルにおける、項番号＝ｎのエントリのジョブ識別子を読み出す（Ｓ１８２）。
【０１１７】
続いて、転送速度決定部３９は、転送速度の実測値のジョブ識別子と、管理テーブルから読み出したジョブ識別子とが一致するか否かを判断する（Ｓ１８３）。転送速度決定部３９は、一致する場合（Ｓ１８３のＹｅｓ）、処理をＳ１８６に進め、一致しない場合（Ｓ１８３のＮｏ）、処理をＳ１８４に進める。
【０１１８】
Ｓ１８４において、転送速度決定部３９は、ｎが最大数（つまり、管理テーブルに含まれるエントリ数）であるか否かを判断する。ｎが最大数の場合（Ｓ１８４のＹｅｓ）、転送速度決定部３９は、本フローを終了する。例えば、管理テーブルに記憶されたエントリに含まれる内容が変更等された場合、ジョブ識別子が一致しない可能性がある。ｎが最大数ではない場合、つまり、ｎが最大数未満の場合（Ｓ１８４のＮｏ）、転送速度決定部３９は、ｎに１を加算して（Ｓ１８５）、処理をＳ１８２に戻す。
【０１１９】
また、Ｓ１８６において、転送速度決定部３９は、転送速度の実測値が規定値以上であるか否かを判断する。規定値は、予め設定されていてもよいし、ユーザ等により適宜変更されてもよい。転送速度の実測値が規定値以上である場合（Ｓ１８６のＹｅｓ）、転送速度決定部３９は、送信転送速度を第１の速度に設定する（Ｓ１８７）。例えば、転送速度決定部３９は、送信転送速度を２０Ｍｂｐｓ（メガビットパーセカント）に設定する。
【０１２０】
一方、転送速度の実測値が規定値以上ではない場合（Ｓ１８６のＮｏ）、転送速度決定部３９は、送信転送速度を第１の速度より低い第２の速度に設定する（Ｓ１８８）。例えば、転送速度決定部３９は、送信転送速度を１０Ｍｂｐｓ（メガビットパーセカント）に設定する。
【０１２１】
このように転送速度決定部３９は、転送速度の実測値が規定値以上である場合、転送装置２２に、送信転送速度を速くしてより多くのデータ量の画像データを送信させることができる。これにより、本実施形態に係る表示システム１０によれば、表示装置２１と転送装置２２との間の通信状況に応じて、画像データの品質を変更することができる。
【０１２２】
（第１実施形態の第１変形例）
つぎに、第１実施形態の第１変形例について説明する。
【０１２３】
図１７は、第１実施形態の第１変形例に係る表示装置２１および転送装置２２の機能構成を示す図である。本変形例に係る表示装置２１は、図４に示した機能構成に加えて、自動調整情報記憶部４９と、自動調整受付部５０とをさらに有する。
【０１２４】
自動調整情報記憶部４９は、自動調整情報を記憶する。自動調整情報は、送信画像サイズを自動調整するか否か、送信転送速度を自動調整するか否か、および、補助情報の表示時における画面配置を自動調整するか否かを示す設定値を含む。自動調整情報の詳細については、図１８を参照してさらに説明する。
【０１２５】
自動調整受付部５０は、自動調整の設定をユーザから受け付ける。より具体的には、自動調整受付部５０は、送信画像サイズを自動調整するか否かの設定を受け付ける。また、自動調整受付部５０は、送信転送速度を自動調整するか否かの設定を受け付ける。また、自動調整受付部５０は、補助情報の表示時における画面配置を自動調整するか否かの設定を受け付ける。そして、自動調整受付部５０は、ユーザから受け付けた設定に応じて、自動調整情報記憶部４９に記憶されている自動調整情報を変更する。
【０１２６】
サイズ決定部３５は、送信画像サイズを自動調整することが設定されている場合、表示画像サイズと希望画像サイズとに基づき送信画像サイズを決定する。すなわち、サイズ決定部３５は、送信画像サイズを自動調整することが設定されている場合、第１実施形態で説明した処理を実行する。
【０１２７】
サイズ決定部３５は、送信画像サイズの自動調整をしないことが設定されている場合、送信画像サイズを希望画像サイズに決定する。すなわち、サイズ決定部３５は、送信画像サイズの自動調整をしないことが設定されている場合、転送装置２２において画像データの解像度変換をせずに、表示装置２１のサイズ調整部３７のみで画像データの解像度変換を実行させる。
【０１２８】
転送速度決定部３９は、送信転送速度を自動調整することが設定されている場合、受信した画像データの転送速度の実測値に基づき、対応する転送装置２２に送信する制御情報に含める送信転送速度を決定する。すなわち、転送速度決定部３９は、送信転送速度を自動調整することが設定されている場合、第１実施形態で説明した処理を実行する。例えば、転送速度決定部３９は、送信転送速度を自動調整することが設定されている場合において、受信した画像データの転送速度が規定値以上の場合には、送信転送速度を第１の速度とし、受信した画像データの転送速度が規定値より低い場合には、送信転送速度を第１の速度より低い第２の速度とする。
【０１２９】
転送速度決定部３９は、送信転送速度の自動調整をしないことが設定されている場合、送信転送速度を予め定められた固定の速度とする。すなわち、転送速度決定部３９は、送信転送速度の自動調整をしないことが設定されている場合、転送装置２２からの画像の転送速度を変更する処理を実行しない。例えば、転送速度決定部３９は、送信転送速度の自動調整をしないことが設定されている場合、送信転送速度を第２の速度とする。
【０１３０】
サイズ調整部３７は、補助情報の表示時における画面配置を自動調整することが設定されている場合、補助情報を表示期間において、それぞれの転送装置２２から受信した画像データの表示画像サイズを一時的に小さくする。すなわち、サイズ調整部３７は、補助情報の表示時における画面配置を自動調整することが設定されている場合、第１実施形態で説明した処理を実行する。例えば、サイズ調整部３７は、それぞれの転送装置２２から受信した画像データの垂直方向の解像度を一時的に小さくする。
【０１３１】
サイズ調整部３７は、補助情報の表示時における画面配置を自動調整することが設定されていない場合、補助情報を表示期間であっても、それぞれの転送装置２２から受信した画像データの表示画像サイズを変更しない。一方、サイズ決定部３５は、補助情報の表示時における画面配置を自動調整することが設定されていない場合、補助情報を表示期間において、それぞれの転送装置２２から送信される画像データの送信画像サイズを一時的に小さくする。そして、制御情報送信部３４は、一時的に小さくされた送信画像サイズを含む制御情報を対応する転送装置２２に送信する。
【０１３２】
図１８は、自動調整情報の一例を示す図である。自動調整情報は、送信画像サイズを自動調整するか否かを示す設定値、送信転送速度を自動調整するか否かを示す設定値、および、補助情報の表示時におけるサイズを自動調整するか否かを示す設定値を記憶する。
【０１３３】
図１９は、自動調整をするか否かを受け付けるための設定画面を示す図である。自動調整受付部５０は、例えば、図１９に示すような設定画面を表示して、自動調整の設定をユーザから受け付ける。より具体的には、自動調整受付部５０は、送信画像サイズを自動調整するか、しないかを受け付ける。また、自動調整受付部５０は、送信転送速度を自動調整するか、しないかを受け付ける。また、自動調整受付部５０は、補助情報の表示時におけるサイズを自動調整するか、しないかを受け付ける。
【０１３４】
図２０は、変形例に係る送信画像サイズの決定処理の手順を示すフロー図である。サイズ決定部３５は、図２０に示すフローに従って、送信画像サイズを決定する。
【０１３５】
まず、Ｓ１２８において、サイズ決定部３５は、自動調整情報記憶部４９にアクセスして、送信画像サイズの自動調整の設定値を読み出す。続いて、Ｓ１２９において、サイズ決定部３５は、読み出した設定値が、送信画像サイズを自動調整することが設定されているか否かを判断する。
【０１３６】
送信画像サイズを自動調整することが設定されている場合（Ｓ１２９のＹｅｓ）、すなわち、送信画像サイズの自動調整がＯＮの場合、サイズ決定部３５は、処理をＳ１３１に進める。送信画像サイズの自動調整をしないことが設定されている場合（Ｓ１２９のＮｏ）、すなわち、送信画像サイズの自動調整がＯＦＦの場合、サイズ決定部３５は、処理をＳ１３０に進める。
【０１３７】
Ｓ１３０において、サイズ決定部３５は、送信画像サイズを希望画像サイズに決定する。これにより、表示システム１０によれば、送信画像サイズの自動調整をしないことが設定されている場合、転送装置２２において画像データの解像度変換をせずに、表示装置２１のサイズ調整部３７のみで画像データの解像度変換を実行させることができる。Ｓ１３０を終えると、サイズ決定部３５は、本フローを終了する。
【０１３８】
Ｓ１３１〜Ｓ１３４において、サイズ決定部３５は、図１２に示した処理と同一の処理を実行する。これにより、表示システム１０によれば、表示画像サイズに対する希望画像サイズの比率に応じて、表示装置２１で解像度変換を実行させるか否かを切り替えることができる。
【０１３９】
図２１は、変形例に係る転送速度の決定処理の手順を示すフロー図である。転送速度決定部３９は、一例として、転送速度の実測値をジョブ識別子毎に集計した場合、それぞれの転送速度の実測値に基づき、図２１に示すフローに従って送信転送速度を決定する。
【０１４０】
まず、転送速度決定部３９は、ステップＳ１８１からＳ１８５まで、図１６に示した処理と同一の処理を実行する。そして、転送速度決定部３９は、転送速度の実測値のジョブ識別子と、管理テーブルから読み出したジョブ識別子とが一致した場合（Ｓ１８３のＹｅｓ）、処理をＳ１８５−１に進める。
【０１４１】
Ｓ１８５−１において、転送速度決定部３９は、自動調整情報記憶部４９にアクセスして、送信転送速度の自動調整の設定値を読み出す。続いて、Ｓ１８５−２において、転送速度決定部３９は、読み出した設定値が、送信転送速度を自動調整することが設定されているか否かを判断する。
【０１４２】
送信転送速度を自動調整することが設定されている場合（Ｓ１８５−２のＹｅｓ）、すなわち、送信転送速度の自動調整がＯＮの場合、転送速度決定部３９は、処理をＳ１８６に進める。送信転送速度の自動調整をしないことが設定されている場合（Ｓ１８５−２のＮｏ）、すなわち、送信転送速度の自動調整がＯＦＦの場合、転送速度決定部３９は、処理をＳ１８５−３に進める。
【０１４３】
Ｓ１８５−３において、転送速度決定部３９は、送信転送速度を第２の速度（縦叔母１０Ｍｂｐｓ）に決定する。これにより、表示システム１０によれば、送信転送速度の自動調整をしないことが設定されている場合、転送装置２２に、通常の送信転送速度で画像データを送信させることができる。Ｓ１８５−３を終えると、転送速度決定部３９は、本フローを終了する。
【０１４４】
Ｓ１８６〜Ｓ１８８において、転送速度決定部３９は、図１６に示した処理と同一の処理を実行する。これにより、表示システム１０によれば、転送速度の実測値が規定値以上である場合、転送装置２２に、送信転送速度を速くしてより多くのデータ量の画像データを送信させることができる。
【０１４５】
図２２は、高品質化するか否かを受け付けるための設定画面を示す図である。自動調整受付部５０は、例えば、図２２に示すような設定画面を表示して、自動調整の設定をユーザから受け付けてもよい。より具体的には、自動調整受付部５０は、高品質化をするか、しないかを受け付けてもよい。
【０１４６】
図２３は、高品質化をすると設定された場合の自動調整情報の一例を示す図である。自動調整受付部５０は、図２２に示すような設定画面により、高品質化をすると設定された場合、送信画像サイズを自動調整するか否かの設定値をＯＦＦとし、送信転送速度を自動調整するか否かの設定値をＯＮとする。
【０１４７】
表示システム１０によれば、送信画像サイズを自動調整するか否かの設定値がＯＦＦとなっている場合、転送装置２２において解像度の変換処理がされず画像データの高品質化が図られる。また、表示システム１０は、送信転送速度を自動調整するか否かの設定値がＯＮとなっている場合、転送装置２２からの画像データの転送速度が、転送速度の実測値によっては、高速化がされる。
【０１４８】
図２４は、高品質化をしないと設定された場合の自動調整情報の一例を示す図である。自動調整受付部５０は、図２２に示すような設定画面により、高品質化をしないと設定された場合、送信画像サイズを自動調整するか否かの設定値をＯＮとし、送信転送速度を自動調整するか否かの設定値をＯＦＦとする。
【０１４９】
表示システム１０は、送信画像サイズを自動調整するか否かの設定値がＯＮとなっている場合、転送装置２２において画像データの解像度の変換処理がされる可能性がある。また、表示システム１０は、送信転送速度を自動調整するか否かの設定値がＯＦＦとなっている場合、転送装置２２からの画像データの転送速度が、転送速度の実測値に関わらず、固定とされる。
【０１５０】
このように、自動調整受付部５０は、例えば、図２２に示したような設定画面を表示して、自動調整の設定をユーザから受け付けることにより、１回の操作で複数の設定値を変更させることができる。これにより、表示システム１０は、ユーザの操作を容易にすることができる。
【０１５１】
図２５は、自動切替処理をするか否かを受け付けるための設定画面を示す図である。自動調整受付部５０は、例えば、図２５に示すような設定画面を表示して、自動調整の設定をユーザから受け付けてもよい。より具体的には、自動調整受付部５０は、自動切替処理をするか、しないかを受け付けてもよい。
【０１５２】
図２６は、自動切替処理をすると設定された場合の自動調整情報の一例を示す図である。自動調整受付部５０は、図２５に示すような設定画面により、自動切替処理をすると設定された場合、送信画像サイズを自動調整するか否かの設定値をＯＮとし、送信転送速度を自動調整するか否かの設定値をＯＮとする。
【０１５３】
表示システム１０によれば、送信画像サイズを自動調整するか否かの設定値がＯＮとなっている場合、転送装置２２において解像度の変換処理をするか否かが、表示画像サイズと希望画像サイズとの比率に応じて切り替えられる。また、表示システム１０は、送信転送速度を自動調整するか否かの設定値がＯＮとなっている場合、転送装置２２からの画像データの転送速度が、転送速度の実測値によって切り替えられる。
【０１５４】
図２７は、自動切替処理をしないと設定された場合の自動調整情報の一例を示す図である。自動調整受付部５０は、図２５に示すような設定画面により、自動切替処理をしないと設定された場合、送信画像サイズを自動調整するか否かの設定値をＯＦＦとし、送信転送速度を自動調整するか否かの設定値をＯＦＦとする。
【０１５５】
表示システム１０は、送信画像サイズを自動調整するか否かの設定値がＯＦＦとなっている場合、転送装置２２において画像データの解像度の変換処理がされない。また、表示システム１０は、送信転送速度を自動調整するか否かの設定値がＯＦＦとなっている場合、転送装置２２からの画像データの転送速度が、固定とされる。
【０１５６】
このように、自動調整受付部５０は、例えば、図２５に示したような設定画面を表示して、自動調整の設定をユーザから受け付けることにより、１回の操作で複数の設定値を変更させることができる。これにより、表示システム１０は、ユーザの操作を容易にすることができる。
【０１５７】
（第１実施形態の第２変形例）
つぎに、第１実施形態の第２変形例について説明する。
【０１５８】
図２８は、第１実施形態の第２変形例に係る表示装置２１および転送装置２２の機能構成を示す図である。本変形例に係る表示装置２１は、図４に示した機能構成に加えて、タイマ部５１をさらに有する。
【０１５９】
タイマ部５１は、制御情報送信部３４に呼び出される。タイマ部５１は、制御情報送信部３４から呼び出されると、一定時間をカウントする。そして、タイマ部５１は、呼び出されてから一定時間後に発火する。また、タイマ部５１は、制御情報送信部３４から動作停止命令を受け付ける。タイマ部５１は、動作停止命令を受け付けると、カウントを停止する。
【０１６０】
図２９は、第２変形例において、開始要求を送信した場合の処理の流れの一例を示すシーケンス図である。転送装置２２から表示装置２１への画像データの送信に先だって、表示装置２１および転送装置２２は、図２９に示す流れで処理を実行する。
【０１６１】
まず、表示装置２１および転送装置２２は、Ｓ１１１からＳ１２０まで、図１１に示した処理と同一の処理を実行する。
【０１６２】
表示装置２１の制御情報送信部３４は、サイズ決定部３５により送信画像サイズが決定された場合、タイマ部５１を呼び出す（Ｓ１９１）。タイマ部５１は、制御情報送信部３４から呼び出されると、一定時間をカウントする。タイマ部５１は、呼び出されてから一定時間後に発火する（Ｓ１９２）。
【０１６３】
続いて、制御情報送信部３４は、タイマ部５１が発火した後に制御情報を対応する転送装置２２に送信する（Ｓ１９３）。続いて、転送装置２２の制御情報受信部４２は、表示装置２１から制御情報を受信する。そして、制御情報受信部４２は、受信した制御情報を制御情報記憶部４３に与えて、記憶させる（Ｓ１９４）。
【０１６４】
ここで、制御情報送信部３４は、タイマ部５１の発火前に（Ｓ１９１とＳ１９２との間において）、送信画像サイズを生成するために用いた表示画像サイズが変更された場合、タイマ部５１の動作を停止させる。送信画像サイズを生成するために用いた表示画像サイズは、サイズ決定部３５がＳ１１９において用いた情報である。そして、制御情報送信部３４は、タイマ部５１を停止させたのちに、サイズ決定部３５に、変更後の表示画像サイズに基づき、送信画像サイズを再度生成させる。
【０１６５】
短い時間の間に複数の転送装置２２から開始要求を受信した場合、表示装置２１は、それぞれの開始要求に対応して制御情報を転送装置２２に送信する。この場合、制御情報を送信した後に、次の開始要求に応じて配置情報等が変更されると、表示装置２１は、再度、制御情報を送信しなければならない。しかしながら、本変形例に係る表示装置２１は、送信画像サイズを決定した後、制御情報の送信を一定時間待機する。そして、本変形例に係る表示装置２１は、待機中に送信画像サイズを変更しなければならない状況が発生した場合、制御情報の送信を停止して、再度、送信画像サイズを決定する。これにより、本変形例に係る表示装置２１によれば、制御情報の繰り返しの送信を無くし、効率良く制御情報を送信することができる。
【０１６６】
図３０は、第１実施形態の第２変形例に係る表示装置２１および転送装置２２のさらなる他の機能構成を示す図である。本変形例に係る表示装置２１は、図２８に示した機能構成に加えて、タイマ設定受付部５６と、タイマ設定記憶部５７とをさらに有してもよい。
【０１６７】
タイマ設定受付部５６は、タイマ部５１を用いた制御情報の送信の一時的な待機処理を実行するか否かの設定を受け付ける。より具体的には、タイマ設定受付部５６は、制御情報の送信遅延処理を実行するか、しないかを受け付ける。
【０１６８】
タイマ設定記憶部５７は、タイマ設定情報を記憶する。タイマ設定情報は、タイマ部５１を用いた制御情報の送信の一時的な待機処理を実行するか否かを示す設定値を含む。
【０１６９】
制御情報送信部３４は、タイマ部５１を用いた制御情報の送信の一時的な待機処理を実行することが設定されている場合、タイマ部５１が発火した後に制御情報を対応する転送装置２２に送信する。また、制御情報送信部３４は、タイマ部５１を用いた制御情報の送信の一時的な待機処理を実行することが設定されていない場合、タイマ部５１が発火するか否かに関わらず、送信画像サイズが決定されたことに応じて制御情報を対応する転送装置２２に送信する。
【０１７０】
図３１は、制御情報の送信遅延処理をするか否かを受け付けるための設定画面を示す図である。タイマ設定受付部５６は、例えば、図３１に示すような設定画面を表示して、制御情報の一時的な待機処理をするか否かの設定をユーザから受け付けてもよい。
【０１７１】
制御情報送信部３４は、制御情報の一時的な待機処理をすると設定されている場合、送信画像サイズを受け取った後にタイマ部５１を呼び出し、タイマ部５１が発火した後に制御情報を対応する転送装置２２に送信する。また、制御情報送信部３４は、制御情報の一時的な待機処理をしないと設定されている場合、送信画像サイズを受け取った後に、タイマ部５１を呼び出さずに、直ぐに制御情報を対応する転送装置２２に送信する。
【０１７２】
このように、本変形例に係る表示装置２１は、制御情報の一時的な待機処理をするか否かをユーザに選択させることもできる。
【０１７３】
（第１実施形態の第３変形例）
つぎに、第１実施形態の第３変形例について説明する。
【０１７４】
図３２は、第１実施形態の第３変形例に係る表示装置２１および転送装置２２の機能構成を示す図である。本変形例に係る表示装置２１は、図４に示した機能構成に加えて、操作部５２と、配置変更部５３とをさらに有する。
【０１７５】
操作部５２は、ユーザから操作を受け付ける。例えば、操作部５２は、リモートコントローラ、キーボードまたはマウス等を用いた操作を受け付ける。配置変更部５３は、ユーザによる操作に応じて、配置情報記憶部３１に記憶された配置情報を変更する。
【０１７６】
図３３は、第１実施形態の第３変形例に係る管理情報の一例を示す図である。本変形例に係る管理情報に含まれる管理テーブルは、それぞれのエントリに、さらに、操作状態を含む。操作状態は、対応する画像データの描画位置が変更中であるか、または、対応する画像データが表示可能であるかを示す。
【０１７７】
設定部３３は、配置変更部５３がユーザの操作に応じて画像データの描画位置の変更を開始した場合、対応する操作状態を変更中に設定する。また、設定部３３は、描画位置の変更が終了した場合、対応する操作状態を表示可能に設定する。
【０１７８】
図３４は、第１実施形態の第３変形例に係る制御情報に含まれる情報の項目を示す図である。本変形例において、制御情報は、さらに、操作状態を含む。操作状態は、管理情報に含まれている値である。
【０１７９】
制御情報送信部３４は、このような制御情報を転送装置２２に送信する。これにより、制御情報送信部３４は、送信すべき画像データを表示可能であるか、描画位置の変更中で表示ができないかを転送装置２２に通知することができる。
【０１８０】
また、転送装置２２の画像送信部４５は、制御情報に含まれる操作状態が表示可能である場合に、画像データを含む表示要求を送信する。しかし、画像送信部４５は、制御情報に含まれる操作状態が変更中である場合、表示要求を送信しない。
【０１８１】
図３５は、画像データの配置を変更中の画面の一例を示す図である。ユーザは、例えば、画面上に表示されたポインタ５５を操作して、変更対象の画像データを特定し、特定した画像データの描画位置を変更する。表示装置２１は、描画位置を変更しながら、変更対象の画像データを表示し続けることができる。ただし、変更対象の画像データを送信する転送装置２２は、描画位置の変更が開始された場合、新たな画像データを生成しない。従って、表示装置２１は、変更対象の画像データを拡大、縮小または移動するが、画像の内容は変更しない。
【０１８２】
図３６は、配置情報の変更中における表示装置２１の処理手順を示すフローチャートである。配置情報の変更中において、配置変更部５３は、図３６に示すフローに従って処理を実行する。
【０１８３】
まず、配置変更部５３は、変更対象の画像データを特定する（Ｓ２１１）。具体的には、配置変更部５３は、配置情報の描画位置と、ポインタ５５の座標とを比較して、何れかの画像番号の画像データがポインタ５５により選択されているかを特定する。続いて、配置変更部５３は、特定した画像データが最後に描画されるように、配置情報に含まれる描画順序を変更する（Ｓ２１２）。
【０１８４】
続いて、配置変更部５３は、特定した画像データがポインタ５５により拡大、縮小または移動をし続けている間、Ｓ２１４〜Ｓ２１７の処理を繰り返し実行する（Ｓ２１３とＳ２１８との間のループ処理）。
【０１８５】
Ｓ２１４において、配置変更部５３は、ポインタ５５を用いた画像データの拡大、縮小または移動に応じて、配置情報に含まれる対応する画像番号の描画位置を変更する。すなわち、配置変更部５３は、配置情報に含まれる対応する画像番号の、起点座標、幅および高さを変更する。続いて、Ｓ２１５において、配置変更部５３は、描画位置の変更に応じて、管理情報に含まれる管理テーブルにおける、対応するエントリに含まれる表示画像サイズを変更する。
【０１８６】
続いて、サイズ調整部３７は、変更対象の画像データを、変更された表示画像サイズに示された解像度に変換する（Ｓ２１６）。続いて、出力部３８は、変更対象の画像データを、変更された描画位置に従って表示する（Ｓ２１７）。そして、配置変更部５３は、操作が終了すると、本フローを終了する。
【０１８７】
変形例に係る表示装置２１は、このようなフローに従い画像データの描画位置を変更する。これにより、表示装置２１は、変更対象の画像データを表示させ続けながら、描画位置を変更することができる。
【０１８８】
図３７は、配置情報の変更中における処理の流れの一例を示すシーケンス図である。配置情報の変更中において、表示装置２１および転送装置２２は、図３７に示す流れで処理を実行する。
【０１８９】
まず、配置変更部５３は、画像データの描画位置の変更操作を開始すると、操作開始を設定部３３に通知する（Ｓ２２１）。このとき、配置変更部５３は、変更対象の画像データの画像番号も併せて設定部３３に与える。
【０１９０】
設定部３３は、配置変更部５３から操作開始の通知を受けると、管理情報に含まれる管理テーブルにおける、通知を受けた画像番号を含むエントリを特定する。そして、設定部３３は、特定したエントリの操作状態を変更中に変更する（Ｓ２２２）。続いて、設定部３３は、特定したエントリの項番号を指定して、制御情報送信部３４を呼び出す（Ｓ２２３）。
【０１９１】
続いて、制御情報送信部３４は、設定部３３から呼び出されると、管理テーブルにおける、指定された項番号のエントリから、変更中を示す操作状態等を読み出して、制御情報を生成する（Ｓ２２４、Ｓ２２５）。そして、制御情報送信部３４は、変更中を示す操作状態等を含む制御情報を、対応する転送装置２２に送信する（Ｓ２２６）。
【０１９２】
続いて、転送装置２２の制御情報受信部４２は、表示装置２１から制御情報を受信する。続いて、制御情報受信部４２は、受信した制御情報を制御情報記憶部４３に与えて、記憶させる（Ｓ２２７）。
【０１９３】
そして、画像生成部４４は、画像データを生成するタイミングにおいて、制御情報を制御情報記憶部４３から読み出す（Ｓ２２８、Ｓ２２９）。しかし、画像生成部４４は、制御情報に含まれる操作状態が変更中を示しているので、画像データを生成しない。
【０１９４】
一方、配置変更部５３は、画像データの描画位置の変更操作が終了すると、操作終了を設定部３３に通知する（Ｓ２３０）。このとき、配置変更部５３は、変更対象の画像データの画像番号も併せて設定部３３に与える。
【０１９５】
設定部３３は、配置変更部５３から操作終了の通知を受けると、管理情報に含まれる管理テーブルにおける、通知を受けた画像番号を含むエントリを特定する。そして、設定部３３は、特定したエントリの操作状態を表示可能に変更する（Ｓ２３１）。続いて、設定部３３は、特定したエントリの項番号を指定して、制御情報送信部３４を呼び出す（Ｓ２３２）。
【０１９６】
続いて、制御情報送信部３４は、設定部３３から呼び出されると、管理テーブルにおける、指定された項番号のエントリから、表示可能を示す操作状態等を読み出す（Ｓ２３３、Ｓ２３４）。
【０１９７】
続いて、制御情報送信部３４は、サイズ決定部３５を呼び出し、開始要求に含まれていた希望画像サイズおよび管理情報から読み出した表示画像サイズをサイズ決定部３５に与える（Ｓ２３５）。続いて、サイズ決定部３５は、受け取った希望画像サイズおよび表示画像サイズに基づき、送信画像サイズを決定する（Ｓ２３６）。なお、Ｓ２３６での送信画像サイズの決定処理については、図１２において説明した処理と同様である。続いて、サイズ決定部３５は、決定した送信画像サイズを制御情報送信部３４に与える（Ｓ２３７）。
【０１９８】
続いて、制御情報送信部３４は、送信画像サイズおよび表示可能を示す操作状態等を含む制御情報を、対応する転送装置２２に送信する（Ｓ２３８）。続いて、転送装置２２の制御情報受信部４２は、表示装置２１から制御情報を受信する。続いて、制御情報受信部４２は、受信した制御情報を制御情報記憶部４３に与えて、記憶させる（Ｓ２３９）。
【０１９９】
そして、画像生成部４４は、画像データを生成するタイミングにおいて、制御情報を制御情報記憶部４３から読み出す（Ｓ２４０、Ｓ２４１）。ここでは、制御情報に含まれる操作状態が表示可能となっている。従って、画像生成部４４は、制御情報に含まれる送信画像データの解像度の画像データを生成する（Ｓ２４２）。
【０２００】
以上のように、本変形例に係る表示システム１０は、画面に表示されている画像データの操作中においては、転送装置２２による対応する画像データの生成を停止させて、転送装置２２から表示装置２１へ対応する画像データを送信させない。さらに、本変形例に係る表示システム１０は、画面に表示されている画像データの操作中においては、画像データの解像度の変換を表示装置２１において実行する。これにより、本変形例に係る表示システム１０によれば、転送装置２２と表示装置２１との間の冗長な通信を無くして、操作中においても画像データを滑らかに表示させることができる。
【０２０１】
図３８は、第１実施形態の第３変形例に係る表示装置２１および転送装置２２のさらなる他の機能構成を示す図である。本変形例に係る表示装置２１は、図３２に示した機能構成に加えて、通信抑制受付部５８と、通信抑制設定記憶部５９とをさらに有してもよい。
【０２０２】
通信抑制受付部５８は、画像データの描画位置変更中において転送装置２２から表示装置２１へ対応する画像データを送信させない通信抑制処理を実行するか否かの設定を受け付ける。より具体的には、通信抑制受付部５８は、画像データの描画位置変更中における通信抑制処理を実行するか、しないかを受け付ける。
【０２０３】
通信抑制設定記憶部５９は、通信抑制情報を記憶する。通信抑制情報は、画像データの描画位置変更中における通信抑制処理を実行するか否かを示す設定値を含む。
【０２０４】
制御情報送信部３４は、通信抑制処理を実行することが設定されている場合、描画位置の変更中であるかまたは表示可能であるかを示す操作状態を含む制御情報を、転送装置２２に送信する。すなわち、制御情報送信部３４は、通信抑制処理を実行することが設定されている場合、制御情報の送信タイミングにおいて描画位置変更中であれば、描画位置の変更中であることを示す操作状態を含む制御情報を、転送装置２２に送信する。
【０２０５】
また、制御情報送信部３４は、通信抑制処理を実行しないことが設定されている場合、描画位置の変更中であるか否かに関わらず、制御情報の送信タイミングにおいて、表示可能であることを示す操作状態を含む制御情報を、転送装置２２に送信する
【０２０６】
図３９は、通信抑制処理をするか否かを受け付けるための設定画面を示す図である。通信抑制受付部５８は、例えば、図３９に示すような設定画面を表示して、通信抑制処理をするか否かの設定をユーザから受け付けてもよい。このように、本変形例に係る表示装置２１は、描画位置の変更中において通信抑制処理をするか否かをユーザに選択させることもできる。
【０２０７】
（第１実施形態の第４変形例）
つぎに、第１実施形態の第４変形例について説明する。
【０２０８】
図４０は、第１実施形態の第４変形例に係る表示装置２１および転送装置２２の機能構成を示す図である。本変形例に係る表示装置２１は、図３２に示した機能構成に加えて、配置固定受付部６０をさらに有する。
【０２０９】
配置固定受付部６０は、画面配置を固定する配置固定処理を実行するか否かの設定を受け付ける。より具体的には、配置固定受付部６０は、配置固定処理を実行するか、しないかを受け付ける。
【０２１０】
配置固定処理を実行しないことが設定されていない場合、設定部３３は、転送装置２２から画像データの送信の開始を要求する開始要求を受信した場合に、表示画像サイズおよび配置情報を変更する。また、配置固定処理を実行することが設定されていない場合、設定部３３は、転送装置２２から画像データの送信の開始を要求する開始要求を受信したことに関わらず、表示画像サイズおよび配置情報を固定する。
【０２１１】
図４１は、配置固定処理をするか否かを受け付けるための設定画面を示す図である。配置固定受付部６０は、例えば、図４１に示すような設定画面を表示して、配置固定処理を実行するか否かの設定をユーザから受け付ける。
【０２１２】
図４２は、１つの画面に４つの画像データを集約して表示している状態から、１つの画像データの送信が停止した場合の表示例を示す。
【０２１３】
例えば、表示装置２１が４つの転送装置２２から４つの画像データを受信しており、設定部３３は、モード４を選択しているとする。なお、モード４は、１つの画面に４つの画像データを集約して表示するモードである。
【０２１４】
画面配置を固定する配置固定処理を実行すると設定されている場合、何れか１つの転送装置２２からの画像データの受信が停止したとする。この場合、設定部３３は、モードを変更しない。従って、出力部３８は、受信が停止した画像データの表示領域を、何も画像データを出力しない黒画面とする。
【０２１５】
以上のように、本変形例に係る表示システム１０は、画面配置を固定する配置固定処理を実行することができる。これにより、本変形例に係る表示システム１０は、例えば頻繁に画像データの受信の開始および停止がされるような場合に、表示装置２１が無駄なサイズ調整処理等をしなくてよいので、表示装置２１の処理量を軽減することができる。
【０２１６】
（第２実施形態）
つぎに、第２実施形態に係る表示システム１０について説明する。
【０２１７】
複数の転送装置２２から送信された複数の画像データを画面に集約して表示している場合において、表示システム１０では、一部の画像データの表示を停止する場合がある。例えば、表示システム１０では、４つの画像データを画面に集約して表示する状態から、１つの画像データを単独で画面に表示する状態に切り替える場合がある。このような場合、従来においては、画面に表示しない画像データを送信する転送装置２２と表示装置２１との間の通信は切断されていた。
【０２１８】
しかし、表示システム１０では、例えば、１つの画像データを単独で画面に表示する状態から、４つの画像データを画面に集約して表示する状態へと戻す場合もある。このような場合、従来においては、新たに画面に表示する画像データを送信する転送装置２２と表示装置２１との間で通信を再接続しなければならなかった。第２実施形態に係る表示システム１０は、画像データを非表示とする場合においても通信を切断させずに、表示の切り替え時における通信手続きを減らすことができる。
【０２１９】
第２実施形態に係る表示システム１０は、システム構成およびハードウェア構成が、第１実施形態と同一である。従って、第２実施形態に係る表示システム１０のシステム構成およびハードウェア構成については説明を省略する。
【０２２０】
図４３は、第２実施形態に係る表示装置２１および転送装置２２の機能構成を示す図である。表示装置２１は、表示管理情報記憶部７１と、要求処理部７２と、判定部７３と、出力部７４と、切替処理部７５とを有する。転送装置２２は、予約要求送信部７８と、依頼情報受信部７９と、依頼情報記憶部８０と、画像データ生成部８１と、更新要求送信部８２と、切替要求送信部８３とを有する。
【０２２１】
表示装置２１の表示管理情報記憶部７１は、表示管理情報を記憶する。表示管理情報は、複数の転送装置２２のそれぞれに対応した、転送装置２２の識別情報、表示ステータス、画像サイズおよび更新頻度を含む。本実施形態において、表示管理情報は、下記の表１および表２に示すような、テーブルである。
【表１】
2017167509.tif 000003
【表２】
2017167509.tif 000004
【０２２２】
表示管理情報は、表示装置２１と接続可能な転送装置２２の数のエントリ（レコード）を有する。それぞれのエントリには、表示装置２１と接続された転送装置２２が登録される。従って、表示装置２１と接続された転送装置２２の数が、表示装置２１が接続可能な最大の数よりも少ない場合、表示管理情報は、表２に示すように空エントリを含む。
【０２２３】
識別情報は、そのエントリに登録された転送装置２２を識別する情報である。
【０２２４】
表示ステータスは、そのエントリに登録された転送装置２２から受信した画像データの画面への表示方法を示す。具体的には、表示ステータスは、全画面表示、共有表示または非表示の何れかを示す。全画面表示は、受信した画像データを画面に単独で表示させることを示す。共有表示は、受信した画像データを他装置から受信した画像データと共に画面に表示させることを示す。非表示は、受信した画像データを画面に表示させないことを示す。
【０２２５】
何れか１つの転送装置２２の表示ステータスが共有表示の場合、他装置の表示ステータスは、表１に示すように、共有表示または非表示となる。また、例えば、何れか１つの転送装置２２の表示ステータスが全画面表示の場合、他装置の表示ステータスは、表２に示すように非表示となる。
【０２２６】
画像サイズは、そのエントリに登録された転送装置２２から受信した画像データの解像度である。更新頻度は、そのエントリに登録された転送装置２２から受信した画像データを更新する頻度を示す。例えば、更新頻度は、１秒間に更新する画像の枚数（フレームパーセカント）を示す。
【０２２７】
転送装置２２の予約要求送信部７８は、表示装置２１に画像データを表示させる場合、画像データの送信に先だって予約要求を表示装置２１に送信する。予約要求は、希望する表示ステータスを含む。
【０２２８】
表示装置２１の要求処理部７２は、それぞれの転送装置２２から予約要求を受信する。要求処理部７２は、予約要求を受信した場合、予約要求の送信元の転送装置２２に対応するエントリを、表示管理情報に登録する。なお、要求処理部７２は、表示管理情報に空エントリが無い場合、予約要求の送信元の転送装置２２を表示管理情報に登録しなくてよい。
【０２２９】
要求処理部７２は、予約要求の送信元以外の転送装置２２の表示ステータスが表示管理情報記憶部７１に記憶されていない場合、表示管理情報記憶部７１における予約要求の送信元の転送装置２２に対応する表示ステータスを、全画面表示に設定する。すなわち、要求処理部７２は、表示管理情報に、予約要求の送信元以外の転送装置２２が登録されていない場合、表示管理情報における、予約要求の送信元の転送装置２２に対応するエントリの表示ステータスを、全画面表示に設定する。
【０２３０】
また、要求処理部７２は、予約要求の送信元以外の転送装置２２に対応する表示ステータスが表示管理情報記憶部７１に記憶されている場合、表示管理情報記憶部７１における予約要求の送信元の転送装置２２に対応する表示ステータスを、予約要求に含まれる表示ステータスに設定する。すなわち、要求処理部７２は、表示管理情報に、予約要求の送信元以外の転送装置２２が登録されている場合、表示管理情報における、予約要求の送信元の転送装置２２に対応するエントリの表示ステータスを、予約要求に含まれる表示ステータスに設定する。
【０２３１】
また、要求処理部７２は、予約要求に含まれる表示ステータスが全画面表示である場合、表示管理情報記憶部７１における予約要求の送信元以外の転送装置２２に対応する表示ステータスを、非表示に設定する。すなわち、予約要求に含まれる表示ステータスが全画面表示である場合、要求処理部７２は、表示管理情報における、予約要求の送信元以外の転送装置２２に対応するエントリの表示ステータスを、非表示に設定する。
【０２３２】
また、要求処理部７２は、予約要求に含まれる表示ステータスが共有表示である場合、表示管理情報記憶部７１における予約要求の送信元以外の転送装置２２に対応する表示ステータスを、共有表示に設定する。すなわち、予約要求に含まれる表示ステータスが共有表示である場合、要求処理部７２は、表示管理情報における、予約要求の送信元以外の転送装置２２に対応するエントリの表示ステータスを、共有表示に設定する。
【０２３３】
また、要求処理部７２は、複数の転送装置２２のそれぞれに、対応する表示ステータス、画像サイズおよび更新頻度を含む依頼情報を送信する。例えば、要求処理部７２は、予約要求の送信元の転送装置２２に、予約要求の送信元の転送装置２２に対応するエントリに設定した表示ステータス、画像サイズおよび更新頻度を送信する。
【０２３４】
転送装置２２の依頼情報受信部７９は、表示装置２１から依頼情報を受信する。転送装置２２の依頼情報記憶部８０は、依頼情報受信部７９が受信した依頼情報を記憶する。
【０２３５】
転送装置２２の画像データ生成部８１は、依頼情報に含まれる画像サイズの画像データを、依頼情報に含まれる更新頻度で生成する。転送装置２２の更新要求送信部８２は、画像データ生成部８１により生成された画像データと、依頼情報に含まれる表示ステータスとを含む更新要求を生成する。更新要求送信部８２は、生成した更新要求を、少なくとも依頼情報に含まれる更新頻度で表示装置２１に送信する。
【０２３６】
表示装置２１の要求処理部７２は、それぞれの転送装置２２から更新要求を受信する。要求処理部７２は、更新要求を受信した場合、判定部７３を呼び出す。
【０２３７】
表示装置２１の判定部７３は、更新要求に含まれる表示ステータスと、表示管理情報記憶部７１に記憶された更新要求の送信元の転送装置２２に対応する表示ステータスとが一致するか否かを判定する。すなわち、判定部７３は、更新要求に含まれる表示ステータスと、表示管理情報における、更新要求の送信元の転送装置２２に対応するエントリの表示ステータスとが一致するか否かを判定する。判定部７３は、判定結果を要求処理部７２に戻す。
【０２３８】
要求処理部７２は、更新要求に含まれる表示ステータスと、表示管理情報記憶部７１に記憶された更新要求の送信元の転送装置２２に対応する表示ステータスとが一致する場合、更新要求に含まれる画像データを出力部７４に与える。また、要求処理部７２は、更新要求に含まれる表示ステータスと、表示管理情報記憶部７１に記憶された更新要求の送信元の転送装置２２に対応する表示ステータスとが一致しない場合、出力部７４に画像データを与えずに、更新要求の送信元の転送装置２２に依頼情報を送信する。
【０２３９】
表示装置２１の出力部７４は、要求処理部７２から画像データを受け取った場合、更新要求に含まれる画像データを、更新要求の送信元の転送装置２２に対応する表示ステータスに従って画面に表示する。例えば、出力部７４は、更新要求の送信元の転送装置２２に対応する表示ステータスが全画面表示であれば、更新要求に含まれる画像データを全画面に表示する。また、出力部７４は、更新要求の送信元の転送装置２２に対応する表示ステータスが共有表示であれば、更新要求に含まれる画像データを、他装置から受信した画像データと共に表示する。また、出力部７４は、更新要求の送信元の転送装置２２に対応する表示ステータスが非表示であれば、更新要求に含まれる画像データを表示しない。
【０２４０】
出力部７４は、例えば、画像記憶部８５と、描画部８６と、表示部８７とを含む。画像記憶部８５は、画像データを、送信元の転送装置２２に対応させて記憶する。例えば、画像記憶部８５は、何れかの転送装置２２から新しい画像データを受信した場合、その転送装置２２に対応して記憶している画像データを削除して、新しい画像データを記憶する。これにより、出力部７４は、新しい画像データが受信される毎に、表示する画像データを更新することができる。
【０２４１】
描画部８６は、画像記憶部８５に記憶されたそれぞれの画像データを、所定の画面位置に描画して合成画像データを生成する。これにより、描画部８６は、それぞれの転送装置２２から受信した画像データを１つの画面に集約して表示させることができる。表示部８７は、描画部８６により生成された合成画像データを表示する。本実施形態においては、表示部８７は、合成画像データをスクリーン２３に投影する。
【０２４２】
転送装置２２の切替要求送信部８３は、表示方法を切り替える場合、切替要求を表示装置２１に送信する。切替要求は、希望する表示ステータスを含む。
【０２４３】
表示装置２１の切替処理部７５は、何れかの転送装置２２から切替要求を受信する。切替処理部７５は、切替要求を受信した場合、表示管理情報記憶部７１における切替要求の送信元の転送装置２２に対応する表示ステータスを、切替要求に含まれる表示ステータスに設定する。切替処理部７５は、表示管理情報における、切替要求の送信元の転送装置２２に対応するエントリの表示ステータスを、切替要求に含まれる表示ステータスに設定する。
【０２４４】
切替処理部７５は、切替要求に含まれる表示ステータスが全画面表示である場合、表示管理情報記憶部７１における切替要求の送信元以外の転送装置２２に対応する表示ステータスを、非表示に設定する。すなわち、切替処理部７５は、切替要求に含まれる表示ステータスが全画面表示である場合、切替処理部７５は、表示管理情報における、切替要求の送信元以外の転送装置２２に対応するエントリの表示ステータスを、非表示に設定する。
【０２４５】
また、切替処理部７５は、切替要求に含まれる表示ステータスが共有表示である場合、切替要求の送信元以外の転送装置２２に対応する表示ステータスを、共有表示に設定する。すなわち、切替処理部７５は、切替要求に含まれる表示ステータスが共有表示である場合、切替処理部７５は、表示管理情報における、切替要求の送信元以外の転送装置２２に対応するエントリの表示ステータスを、共有表示に設定する。
【０２４６】
図４４は、予約要求を受信した場合における処理手順を示すフローチャートである。要求処理部７２は、予約要求を受信した場合、図４４に示すような手順で処理を実行する。
【０２４７】
予約要求を受信した場合、まず、要求処理部７２は、表示管理情報記憶部７１から表示管理情報を取得する（Ｓ２６１）。続いて、要求処理部７２は、エントリ番号に１を代入する（Ｓ２６２）。続いて、要求処理部７２は、エントリ番号が最大数を超えているか否かを判断する（Ｓ２６３）。最大数は、表示装置２１に接続可能な転送装置２２の数である。エントリ番号が最大数を超えている場合（Ｓ２６３のＹｅｓ）、要求処理部７２は、登録できない旨の応答を、予約要求の送信元の転送装置２２に送信し（Ｓ２６４）、本フローを終了する。
【０２４８】
エントリ番号が最大数を超えていない場合（Ｓ２６３のＮｏ）、要求処理部７２は、何れかの転送装置２２がそのエントリ番号のエントリに登録済みであるか否かを判断する（Ｓ２６５）。すなわち、要求処理部７２は、そのエントリ番号のエントリが空いているか否かを判断する。そのエントリ番号のエントリに何れかの転送装置２２が登録済みである場合（Ｓ２６５のＹｅｓ）、要求処理部７２は、エントリ番号に１を加算して（Ｓ２６６）、処理をＳ２６３に戻す。
【０２４９】
そのエントリ番号のエントリに何れの転送装置２２も登録されていない場合、すなわち、そのエントリ番号のエントリが空いている場合（Ｓ２６５のＮｏ）、要求処理部７２は、そのエントリ番号のエントリを、対象エントリとして特定する（Ｓ２６７）。続いて、要求処理部７２は、特定した対象エントリに対して、図４５に示す登録処理を実行する（Ｓ２６８）。
【０２５０】
図４５は、登録処理の手順を示すフローチャートである。要求処理部７２は、図４４のＳ２６８において、図４５に示す処理を実行する。
【０２５１】
まず、要求処理部７２は、対象エントリの識別情報に、予約要求の送信元の転送装置２２を識別する番号を設定する（Ｓ２７１）。続いて、要求処理部７２は、対象エントリ以外のエントリに、予約要求の送信元以外の転送装置２２が登録されているか否かを判断する（Ｓ２７２）。対象エントリ以外のエントリに、予約要求の送信元以外の転送装置２２が登録されていない場合（Ｓ２７２のＮｏ）、要求処理部７２は、処理をＳ２７３に進める。
【０２５２】
Ｓ２７３において、要求処理部７２は、対象エントリの表示ステータスに、全画面表示を設定する。さらに、Ｓ２７３において、要求処理部７２は、対象エントリの画像サイズおよび更新頻度を、全画面表示に応じた値に設定する。そして、Ｓ２７３を終えると、要求処理部７２は、本フローを終了する。
【０２５３】
対象エントリ以外のエントリに、予約要求の送信元以外の転送装置２２が登録されている場合（Ｓ２７２のＹｅｓ）、要求処理部７２は、処理をＳ２７４に進める。Ｓ２７４において、要求処理部７２は、予約要求に含まれていた表示ステータスが、全画面表示であるか共有表示であるかを判断する。予約要求に含まれていた表示ステータスが全画面表示である場合（Ｓ２７４の全画面表示）、要求処理部７２は、処理をＳ２７５に進める。予約要求に含まれていた表示ステータスが共有表示である場合（Ｓ２７４の共有表示）、要求処理部７２は、処理をＳ２７７に進める。
【０２５４】
Ｓ２７５において、要求処理部７２は、対象エントリの表示ステータスに、全画面表示を設定する。さらに、Ｓ２７５において、要求処理部７２は、対象エントリの画像サイズおよび更新頻度を、全画面表示に応じた値に設定する。続いて、Ｓ２７６において、要求処理部７２は、対象エントリ以外のエントリの表示ステータスに、非表示を設定する。さらに、Ｓ２７６において、要求処理部７２は、対象エントリ以外のエントリの画像サイズおよび更新頻度を、非表示に応じた値に設定する。そして、Ｓ２７６を終えると、要求処理部７２は、本フローを終了する。
【０２５５】
Ｓ２７７において、要求処理部７２は、対象エントリの表示ステータスに、共有表示を設定する。さらに、Ｓ２７７において、要求処理部７２は、対象エントリの画像サイズおよび更新頻度を、共有表示に応じた値に設定する。続いて、Ｓ２７８において、要求処理部７２は、対象エントリ以外のエントリの表示ステータスに、共有表示を設定する。さらに、Ｓ２７８において、要求処理部７２は、対象エントリ以外のエントリの画像サイズおよび更新頻度を、共有表示に応じた値に設定する。そして、Ｓ２７８を終えると、要求処理部７２は、本フローを終了する。
【０２５６】
図４６は、切替要求を受信した場合における処理手順を示すフローチャートである。切替処理部７５は、切替要求を受信した場合、図４６に示すような手順で処理を実行する。
【０２５７】
まず、切替処理部７５は、切替要求の送信元の転送装置２２を示す識別情報を含むエントリを、対象エントリに特定する（Ｓ２８１）。続いて、切替処理部７５は、対象エントリの表示ステータスに、切替要求に含まれていた表示ステータスを設定する（Ｓ２８２）。さらに、Ｓ２８２において、切替処理部７５は、対象エントリの画像サイズおよび更新頻度を、切替要求に含まれていた表示ステータスに対応する値に設定する。
【０２５８】
続いて、切替処理部７５は、対象エントリ以外のエントリに、切替要求の送信元以外の転送装置２２が登録されているか否かを判断する（Ｓ２８３）。対象エントリ以外のエントリに、予約要求の送信元以外の転送装置２２が登録されていない場合（Ｓ２８３のＮｏ）、切替処理部７５は、本フローを終了する。対象エントリ以外のエントリに、予約要求の送信元以外の転送装置２２が登録されている場合（Ｓ２８３のＹｅｓ）、切替処理部７５は、処理をＳ２８４に進める。
【０２５９】
Ｓ２８４において、切替処理部７５は、切替要求に含まれていた表示ステータスが、全画面表示であるか、共有表示であるかまたは非表示であるかを判断する。切替要求に含まれていた表示ステータスが全画面表示である場合（Ｓ２８４の全画面表示）、切替処理部７５は、処理をＳ２８５に進める。切替要求に含まれていた表示ステータスが共有表示である場合（Ｓ２８４の共有表示）、切替処理部７５は、処理をＳ２８６に進める。切替要求に含まれていた表示ステータスが非表示である場合（Ｓ２８４の非表示）、切替処理部７５は、本フローを終了する。
【０２６０】
Ｓ２８５において、切替処理部７５は、対象エントリ以外のエントリの表示ステータスに、非表示を設定する。さらに、Ｓ２８５において、切替処理部７５は、対象エントリ以外のエントリの画像サイズおよび更新頻度を、非表示に応じた値に設定する。そして、Ｓ２８５を終えると、切替処理部７５は、本フローを終了する。
【０２６１】
Ｓ２８６において、切替処理部７５は、対象エントリ以外のエントリの表示ステータスに、共有表示を設定する。さらに、Ｓ２８６において、切替処理部７５は、対象エントリ以外のエントリの画像サイズおよび更新頻度を、共有表示に応じた値に設定する。そして、Ｓ２８６を終えると、切替処理部７５は、本フローを終了する。
【０２６２】
図４７は、予約時の表示システム１０の処理の流れの一例を示すシーケンス図である。何れの転送装置２２も表示装置２１に接続されていない状態から、表示システム１０は、例えば以下のような流れで処理を実行する。
【０２６３】
まず、第１の転送装置２２−１は、全画面表示の表示ステータスを含む予約要求を表示装置２１に送信する（Ｓ３０１）。続いて、要求処理部７２は、この予約要求を受信すると、下記の表３に示すように、表示管理情報の空エントリに対して、関連する情報を設定する（Ｓ３０２）。
【表３】
2017167509.tif 000005
【０２６４】
すなわち、要求処理部７２は、空エントリにおける、識別情報に第１の転送装置２２−１を識別する番号を設定し、表示ステータスに全画面表示を設定し、画像サイズに全画面表示に応じた解像度（例えば１２８０×８００）を設定し、更新頻度に全画面表示に応じたレート（例えば１５ｆｐｓ）を設定する。
【０２６５】
続いて、要求処理部７２は、全画面表示の表示ステータス等の設定した情報を含む依頼情報を第１の転送装置２２−１に送信する（Ｓ３０３）。
【０２６６】
続いて、第１の転送装置２２−１は、画像データおよび全画面表示を示す表示ステータスを含む更新要求を表示装置２１に送信する（Ｓ３０４）。続いて、要求処理部７２は、この更新要求を受信すると、判定部７３を呼び出す（Ｓ３０５）。判定部７３は、呼び出しを受けると、表示管理情報記憶部７１にアクセスして（Ｓ３０６、Ｓ３０７）、更新要求に含まれる表示ステータスと、表示管理情報における対応するエントリの表示ステータスとが一致するか否かを判定する（Ｓ３０８）。ここでは、判定部７３は、共に表示ステータスが全画面表示であり一致するので、表示可能を示す判定結果を要求処理部７２に戻す（Ｓ３０９）。
【０２６７】
要求処理部７２は、判定部７３から表示可能を示す判定結果を受けると、画像データを出力部７４に与える（Ｓ３１０）。そして、出力部７４は、受け取った画像データを単独で全画面に表示する（Ｓ３１１）。
【０２６８】
一方、第２の転送装置２２−２は、共有表示の表示ステータスを含む予約要求を表示装置２１に送信する（Ｓ３１２）。続いて、要求処理部７２は、この予約要求を受信すると、下記の表４に示すように、表示管理情報の空エントリに対して、関連する情報を設定する（Ｓ３１３）。
【表４】
2017167509.tif 000006
【０２６９】
すなわち、要求処理部７２は、空エントリにおける、識別情報に第２の転送装置２２−２を識別する番号を設定し、表示ステータスに共有表示を設定し、画像サイズに共有表示に応じた解像度（例えば６４０×４００）を設定し、更新頻度に共有表示に応じたレート（例えば５ｆｐｓ）を設定する。
【０２７０】
さらに、Ｓ３１３において、要求処理部７２は、第１の転送装置２２−１が登録されているエントリにおける、表示ステータス、画像サイズおよび更新頻度を変更する。すなわち、要求処理部７２は、第１の転送装置２２−１が登録されているエントリにおける、表示ステータスに共有表示を設定し、画像サイズに共有表示に応じた解像度（例えば６４０×４００）を設定し、更新頻度に共有表示に応じたレート（例えば５ｆｐｓ）を設定する。
【０２７１】
続いて、要求処理部７２は、共有表示の表示ステータス等の設定した情報を含む依頼情報を第２の転送装置２２−２に送信する（Ｓ３１４）。
【０２７２】
続いて、第２の転送装置２２−２は、画像データおよび共有表示を示す表示ステータスを含む更新要求を表示装置２１に送信する（Ｓ３１５）。続いて、要求処理部７２は、この更新要求を受信すると、判定部７３を呼び出す（Ｓ３１６）。判定部７３は、呼び出しを受けると、表示管理情報記憶部７１にアクセスして（Ｓ３１７、Ｓ３１８）、更新要求に含まれる表示ステータスと、表示管理情報における対応するエントリの表示ステータスとが一致するか否かを判定する（Ｓ３１９）。ここでは、判定部７３は、共に表示ステータスが共有表示であり一致するので、表示可能を示す判定結果を要求処理部７２に戻す（Ｓ３２０）。
【０２７３】
要求処理部７２は、判定部７３から表示可能を示す判定結果を受けると、画像データを出力部７４に与える（Ｓ３２１）。そして、出力部７４は、受け取った画像データを、第１の転送装置２２−１から受け取った画像データと共に表示する（Ｓ３２２）。
【０２７４】
図４８は、更新時の表示システム１０の処理の流れの一例を示すシーケンス図である。図４７のＳ３２２を終了した状態から、表示システム１０は、例えば以下のような流れで処理を実行する。
【０２７５】
第１の転送装置２２−１は、画像データおよび全画面表示の表示ステータスを含む更新要求を表示装置２１に送信する（Ｓ３３１）。続いて、要求処理部７２は、この更新要求を受信すると、判定部７３を呼び出す（Ｓ３３２）。判定部７３は、呼び出しを受けると、表示管理情報記憶部７１にアクセスして（Ｓ３３３、Ｓ３３４）、更新要求に含まれる表示ステータスと、表示管理情報における対応するエントリの表示ステータスとが一致するか否かを判定する（Ｓ３３５）。ここでは、更新要求に含まれる表示ステータスが全画面表示であるが、表示管理情報における第１の転送装置２２−１に対応する表示ステータスが共有表示であるので、表示ステータスが一致しない。従って、判定部７３は、表示不可を示す判定結果を要求処理部７２に戻す（Ｓ３３６）。
【０２７６】
要求処理部７２は、判定部７３から表示不可を示す判定結果を受けると、画像データを出力部７４に与えずに、依頼情報を第１の転送装置２２−１に送信する（Ｓ３３７）。この依頼情報は、表示管理情報における第１の転送装置２２−１に対応するエントリに含まれる表示ステータス（共有表示）等を含む。
【０２７７】
続いて、第１の転送装置２２−１は、画像データおよび非表示の表示ステータスを含む更新要求を表示装置２１に送信したとする（Ｓ３３８）。続いて、要求処理部７２は、この更新要求を受信すると、判定部７３を呼び出す（Ｓ３３９）。判定部７３は、呼び出しを受けると、表示管理情報記憶部７１にアクセスして（Ｓ３４０、Ｓ３４１）、更新要求に含まれる表示ステータスと、表示管理情報における対応するエントリの表示ステータスとが一致するか否かを判定する（Ｓ３４２）。ここでは、更新要求に含まれる表示ステータスが非表示であるが、表示管理情報における第１の転送装置２２−１に対応する表示ステータスが共有表示であるので、表示ステータスが一致しない。従って、判定部７３は、表示不可を示す判定結果を要求処理部７２に戻す（Ｓ３４３）。
【０２７８】
要求処理部７２は、判定部７３から表示不可を示す判定結果を受けると、画像データを出力部７４に与えずに、依頼情報を第１の転送装置２２−１に送信する（Ｓ３４４）。この依頼情報は、表示管理情報における第１の転送装置２２−１に対応するエントリに含まれる表示ステータス（共有表示）等を含む。
【０２７９】
続いて、第１の転送装置２２−１は、画像データおよび共有表示の表示ステータスを含む更新要求を表示装置２１に送信したとする（Ｓ３４５）。続いて、要求処理部７２は、この更新要求を受信すると、判定部７３を呼び出す（Ｓ３４６）。判定部７３は、呼び出しを受けると、表示管理情報記憶部７１にアクセスして（Ｓ３４７、Ｓ３４８）、更新要求に含まれる表示ステータスと、表示管理情報における対応するエントリの表示ステータスとが一致するか否かを判定する（Ｓ３４９）。ここでは、判定部７３は、共に表示ステータスが共有表示であり一致するので、表示可能を示す判定結果を要求処理部７２に戻す（Ｓ３５０）。
【０２８０】
要求処理部７２は、判定部７３から表示可能を示す判定結果を受けると、画像データを出力部７４に与える（Ｓ３５１）。そして、出力部７４は、受け取った画像データを、第２の転送装置２２−２から受け取った画像データと共に表示する（Ｓ３５２）。
【０２８１】
図４９は、切替時の表示システム１０の処理の流れの一例を示すシーケンス図である。図４８のＳ３５２を終了した状態から、表示システム１０は、表示方法を切り替える場合、例えば以下のような流れで処理を実行する。
【０２８２】
まず、第１の転送装置２２−１は、全画面表示の表示ステータスを含む切替要求を表示装置２１に送信する（Ｓ３６１）。続いて、切替処理部７５は、この切替要求を受信すると、下記の表５に示すように、表示管理情報の第１の転送装置２２−１および第２の転送装置２２−２が登録されているエントリに対して、関連する情報を設定する（Ｓ３６２）。
【表５】
2017167509.tif 000007
【０２８３】
すなわち、切替処理部７５は、第１の転送装置２２−１が登録されているエントリにおける、表示ステータスに全画面表示を設定し、画像サイズに全画面表示に応じた解像度（例えば１２８０×８００）を設定し、更新頻度に全画面表示に応じたレート（例えば１５ｆｐｓ）を設定する。さらに、切替処理部７５は、第２の転送装置２２−２が登録されているエントリにおける、表示ステータスに非表示を設定し、画像サイズに非表示に応じた解像度（例えば０×０）を設定し、更新頻度に非表示に応じたレート（例えば５ｆｐｓ）を設定する。
【０２８４】
第１の転送装置２２−１は、画像データおよび共有表示の表示ステータスを含む更新要求を表示装置２１に送信する（Ｓ３６３）。続いて、要求処理部７２は、この更新要求を受信すると、判定部７３を呼び出す（Ｓ３６４）。判定部７３は、呼び出しを受けると、表示管理情報記憶部７１にアクセスして（Ｓ３６５、Ｓ３６６）、更新要求に含まれる表示ステータスと、表示管理情報における対応するエントリの表示ステータスとが一致するか否かを判定する（Ｓ３６７）。ここでは、更新要求に含まれる表示ステータスが共有表示であるが、表示管理情報における第１の転送装置２２−１に対応する表示ステータスが全画面表示であるので、表示ステータスが一致しない。従って、判定部７３は、表示不可を示す判定結果を要求処理部７２に戻す（Ｓ３６８）。
【０２８５】
要求処理部７２は、判定部７３から表示不可を示す判定結果を受けると、画像データを出力部７４に与えずに、依頼情報を第１の転送装置２２−１に送信する（Ｓ３６９）。この依頼情報は、表示管理情報における第１の転送装置２２−１に対応するエントリに含まれる表示ステータス（全画面表示）等を含む。
【０２８６】
続いて、第１の転送装置２２−１は、画像データおよび全画面表示の表示ステータスを含む更新要求を表示装置２１に送信する（Ｓ３７０）。続いて、要求処理部７２は、この更新要求を受信すると、判定部７３を呼び出す（Ｓ３７１）。判定部７３は、呼び出しを受けると、表示管理情報記憶部７１にアクセスして（Ｓ３７２、Ｓ３７３）、更新要求に含まれる表示ステータスと、表示管理情報における対応するエントリの表示ステータスとが一致するか否かを判定する（Ｓ３７４）。ここでは、判定部７３は、共に表示ステータスが全画面表示であり一致するので、表示可能を示す判定結果を要求処理部７２に戻す（Ｓ３７５）。
【０２８７】
要求処理部７２は、判定部７３から表示可能を示す判定結果を受けると、画像データを出力部７４に与える（Ｓ３７６）。そして、出力部７４は、受け取った画像データを、単独で全画面に表示する（Ｓ３７７）。
【０２８８】
図５０は、切替後の表示システム１０の処理の流れの一例を示すシーケンス図である。図４９のＳ３７７を終了した状態から、表示システム１０は、例えば以下のような流れで処理を実行する。
【０２８９】
第２の転送装置２２−２は、画像データおよび共有表示の表示ステータスを含む更新要求を表示装置２１に送信する（Ｓ３８１）。続いて、要求処理部７２は、この更新要求を受信すると、判定部７３を呼び出す（Ｓ３８２）。判定部７３は、呼び出しを受けると、表示管理情報記憶部７１にアクセスして（Ｓ３８３、Ｓ３８４）、更新要求に含まれる表示ステータスと、表示管理情報における対応するエントリの表示ステータスとが一致するか否かを判定する（Ｓ３８５）。ここでは、更新要求に含まれる表示ステータスが共有表示であるが、表示管理情報における第２の転送装置２２−２に対応する表示ステータスが非表示であるので、表示ステータスが一致しない。従って、判定部７３は、表示不可を示す判定結果を要求処理部７２に戻す（Ｓ３８６）。
【０２９０】
要求処理部７２は、判定部７３から表示不可を示す判定結果を受けると、画像データを出力部７４に与えずに、依頼情報を第２の転送装置２２−２に送信する（Ｓ３８７）。この依頼情報は、表示管理情報における第２の転送装置２２−２に対応するエントリに含まれる表示ステータス（非表示）等を含む。
【０２９１】
続いて、第２の転送装置２２−２は、画像データおよび非表示の表示ステータスを含む更新要求を表示装置２１に送信する（Ｓ３８８）。続いて、要求処理部７２は、この更新要求を受信すると、判定部７３を呼び出す（Ｓ３８９）。判定部７３は、呼び出しを受けると、表示管理情報記憶部７１にアクセスして（Ｓ３９０、Ｓ３９１）、更新要求に含まれる表示ステータスと、表示管理情報における対応するエントリの表示ステータスとが一致するか否かを判定する（Ｓ３９２）。ここでは、判定部７３は、共に表示ステータスが全画面表示であり一致するので、表示可能を示す判定結果を要求処理部７２に戻す（Ｓ３９３）。
【０２９２】
要求処理部７２は、判定部７３から表示可能を示す判定結果を受けると、画像データを出力部７４に与える（Ｓ３９４）。ここで、第２の転送装置２２−２に対応する表示ステータスは、非表示である。従って、出力部７４は、受け取った画像データを表示せずに、削除する（Ｓ３９５）。
【０２９３】
図５１は、ダミーデータに含まれる情報の項目を示す図である。図５２は、ダミーデータに含める情報の内容を示す情報種別テーブルを示す図である。
【０２９４】
転送装置２２の更新要求送信部８２は、依頼情報に含まれる表示ステータスが非表示である場合、画像データとしてダミーデータを含む更新要求を表示装置２１に送信してもよい。
【０２９５】
この場合、更新要求送信部８２は、ダミーデータを任意のサイズとしてもよい。例えば、更新要求送信部８２は、ダミーデータを１バイトにしてもよい。これにより、転送装置２２は、生成した画像データを非表示にする場合において、表示装置２１との間の接続を維持しながら、通信負荷を小さくすることができる。
【０２９６】
また、更新要求送信部８２は、ダミーデータに任意情報を含めてもよい。例えば、ダミーデータは、図５１に示すように、任意情報と、実体情報の種別を示す情報種別と、任意情報サイズとを含んでもよい。この場合、情報種別には、例えば、情報なし、テキスト等を含む。情報種別が情報なしの場合、任意情報には、例えば、何らデータを含まなくてもよいし、予め定められたデータ量の無意味な情報が含まれてもよい。また、情報種別がテキストの場合、任意情報には、テキストデータが含まれる。その他、例えば、任意情報は、静止画像データまたは音声データ等を含んでもよい。
【０２９７】
図５３は、情報格納装置に記憶されたデータの格納位置を示す図である。出力部７４は、表示ステータスが非表示である場合、ダミーデータに含まれる情報種別を解析する。任意情報が情報なしの場合、出力部７４は、ダミーデータを削除する。
【０２９８】
また、任意情報がテキスト等の予め定められた情報種別である場合、出力部７４は、情報種別に応じた処理を実行する。例えば、出力部７４は、ダミーデータに含まれる任意情報を、外部の情報格納装置に記憶させる。
【０２９９】
この場合、出力部７４は、図５３に示すように、更新要求の送信元の転送装置２２に対応するディレクトリに、任意情報を記憶させてもよい。また、出力部７４は、情報種別毎のディレクトリを形成して、対応する情報種別のディレクトリに任意情報を記憶させてもよい。より具体的には、出力部７４は、情報種別がテキストである場合、テキストデータのためのディレクトリに任意情報を記憶させてもよい。
【０３００】
また、情報格納装置は、ディレクトリがシーン毎に分類されていてもよい。この場合、出力部７４は、画像データのシーン毎のディレクトリに、テキストファイルまたは静止画ファイル等を記憶させてもよい。
【０３０１】
また、変形例として、表示装置２１は、プリンタ装置等の画像形成装置に接続されてもよい。この場合、表示装置２１は、画像データを画像形成装置に与えて、画像形成装置に画像データを印刷させる。そして、表示装置２１は、画像データとともに、その画像データのシーンに対応させて記憶されたテキストファイルまたは静止画ファイル等を画像形成装置に与えてもよい。この場合、画像形成装置は、画像データとともに、テキストファイルまたは静止画ファイル等を同一の用紙に印刷する。
【０３０２】
以上のように本実施形態に係る表示システム１０は、全画面表示、共有表示または非表示を示す表示ステータスを、表示装置２１と転送装置２２との間で相互に管理する。そして、表示装置２１は、表示ステータスに従って画像データを表示する。例えば、表示装置２１は、表示ステータスが非表示である場合には、画像データを表示しない。
【０３０３】
このため、表示システム１０では、表示方法の切り替えにより画像データが表示されなくなった場合であっても、転送装置２２が、表示されなくなった画像データを表示装置２１に送信し続けることができる。よって、表示システム１０は、画面に表示しない画像データを送信する転送装置２２と表示装置２１との間の通信を切断せずに維持し続けることができる。従って、全画面表示から共有表示に切り替えられて、再度、画像データを表示する場合に、転送装置２２が、通信の再接続の手続きをせずに、直ぐに画像データを送信することができる。
【０３０４】
このように本実施形態に係る表示システム１０によれば、全画面表示、共有表示および非表示の相互の切り替え時における通信手続きを減らすことができる。
【０３０５】
（プログラム構成）
表示装置２１および転送装置２２で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【０３０６】
また、表示装置２１および転送装置２２で実行されるプログラムを、インターネット等のネットワークに接続されたコンピュータ上に格納し、ネットワーク経由でダウンロードさせることにより提供するように構成してもよい。また、表示装置２１および転送装置２２で実行されるプログラムをインターネット等のネットワーク経由で提供または配布するように構成してもよい。また、表示装置２１および転送装置２２で実行されるプログラムを、ＲＯＭ等に予め組み込んで提供するように構成してもよい。
【０３０７】
第１実施形態に係る表示装置２１により実行されるプログラムは、設定モジュール、制御情報送信モジュール、サイズ決定モジュール、画像受信モジュール、サイズ調整モジュール、出力モジュールおよび転送速度決定モジュールを含む。第１実施形態に係る表示装置２１は、実際のハードウェアとしてはプロセッサが記憶媒体からプログラムを読み出して実行することにより上記各部が主記憶装置上にロードされ、プロセッサが設定部３３、制御情報送信部３４、サイズ決定部３５、画像受信部３６、サイズ調整部３７、出力部３８の描画部４７、出力部３８の表示部４８および転送速度決定部３９として機能する。また、例えば主記憶部等の記憶装置が、配置情報記憶部３１、管理情報記憶部３２および出力部３８の画像記憶部４６として機能する。
【０３０８】
また、第１実施形態に係る転送装置２２により実行されるプログラムは、要求送信モジュール、制御情報受信モジュール、画像生成モジュールおよび画像送信モジュールを含む。第１実施形態に係る転送装置２２は、実際のハードウェアとしてはプロセッサが記憶媒体からプログラムを読み出して実行することにより上記各部が主記憶装置上にロードされ、プロセッサが要求送信部４１、制御情報受信部４２、画像生成部４４および画像送信部４５として機能する。また、例えば主記憶部等の記憶装置が、制御情報記憶部４３として機能する。
【０３０９】
また、第２実施形態に係る表示装置２１により実行されるプログラムは、要求処理モジュール、判定モジュール、出力モジュールおよび切替処理モジュールを含む。第２実施形態に係る表示装置２１は、実際のハードウェアとしてはプロセッサが記憶媒体からプログラムを読み出して実行することにより上記各部が主記憶装置上にロードされ、プロセッサが要求処理部７２、判定部７３、出力部７４の描画部８６、出力部７４の表示部８７および切替処理部７５として機能する。また、例えば主記憶部等の記憶装置が、表示管理情報記憶部７１および出力部７４の画像記憶部８５として機能する。
【０３１０】
また、第２実施形態に係る転送装置２２により実行されるプログラムは、予約要求モジュール、依頼情報受信モジュール、画像データ生成モジュール、更新要求送信モジュールおよび切替要求送信モジュールを含む。第２実施形態に係る転送装置２２は、実際のハードウェアとしてはプロセッサが記憶媒体からプログラムを読み出して実行することにより上記各部が主記憶装置上にロードされ、プロセッサが予約要求送信部７８、依頼情報受信部７９、画像データ生成部８１、更新要求送信部８２および切替要求送信部８３として機能する。また、例えば主記憶部等の記憶装置が、依頼情報記憶部８０として機能する。
【０３１１】
以上、本発明の実施形態を説明したが、実施形態は、例として提示したものであり、発明の範囲を限定することは意図していない。これら新規な実施形態は、その他の様々な形態で実施されることが可能である。
【符号の説明】
【０３１２】
１０  表示システム
２１  表示装置
２２  転送装置
２３  スクリーン
３１  配置情報記憶部
３２  管理情報記憶部
３３  設定部
３４  制御情報送信部
３５  サイズ決定部
３６  画像受信部
３７  サイズ調整部
３８  出力部
３９  転送速度決定部
４１  要求送信部
４２  制御情報受信部
４３  制御情報記憶部
４４  画像生成部
４５  画像送信部
４６  画像記憶部
４７  描画部
４８  表示部
４９  自動調整情報記憶部
５０  自動調整受付部
５１  タイマ部
５２  操作部
５３  配置変更部
５５  ポインタ
５６  タイマ設定受付部
５７  タイマ設定記憶部
５８  通信抑制受付部
５９  通信抑制設定記憶部
６０  配置固定受付部
７１  表示管理情報記憶部
７２  要求処理部
７３  判定部
７４  出力部
７５  切替処理部
７８  予約要求送信部
７９  依頼情報受信部
８０  依頼情報記憶部
８１  画像データ生成部
８２  更新要求送信部
８３  切替要求送信部
【先行技術文献】
【特許文献】
【０３１３】
【特許文献１】特開２００４−５４７８３号公報
【特許文献２】特開２０１０−１４１７７９号公報
【図１】
2017167509.tif 000008
【図２】
2017167509.tif 000009
【図３】
2017167509.tif 000010
【図４】
2017167509.tif 000011
【図５】
2017167509.tif 000012
【図６】
2017167509.tif 000013
【図７】
2017167509.tif 000014
【図８】
2017167509.tif 000015
【図９】
2017167509.tif 000016
【図１０】
2017167509.tif 000017
【図１１】
2017167509.tif 000018
【図１２】
2017167509.tif 000019
【図１３】
2017167509.tif 000020
【図１４】
2017167509.tif 000021
【図１５】
2017167509.tif 000022
【図１６】
2017167509.tif 000023
【図１７】
2017167509.tif 000024
【図１８】
2017167509.tif 000025
【図１９】
2017167509.tif 000026
【図２０】
2017167509.tif 000027
【図２１】
2017167509.tif 000028
【図２２】
2017167509.tif 000029
【図２３】
2017167509.tif 000030
【図２４】
2017167509.tif 000031
【図２５】
2017167509.tif 000032
【図２６】
2017167509.tif 000033
【図２７】
2017167509.tif 000034
【図２８】
2017167509.tif 000035
【図２９】
2017167509.tif 000036
【図３０】
2017167509.tif 000037
【図３１】
2017167509.tif 000038
【図３２】
2017167509.tif 000039
【図３３】
2017167509.tif 000040
【図３４】
2017167509.tif 000041
【図３５】
2017167509.tif 000042
【図３６】
2017167509.tif 000043
【図３７】
2017167509.tif 000044
【図３８】
2017167509.tif 000045
【図３９】
2017167509.tif 000046
【図４０】
2017167509.tif 000047
【図４１】
2017167509.tif 000048
【図４２】
2017167509.tif 000049
【図４３】
2017167509.tif 000050
【図４４】
2017167509.tif 000051
【図４５】
2017167509.tif 000052
【図４６】
2017167509.tif 000053
【図４７】
2017167509.tif 000054
【図４８】
2017167509.tif 000055
【図４９】
2017167509.tif 000056
【図５０】
2017167509.tif 000057
【図５１】
2017167509.tif 000058
【図５２】
2017167509.tif 000059
【図５３】
2017167509.tif 000060